(57)【特許請求の範囲】
【請求項１】
ユーザの操作によって所定方向に操作可能な操作部によって示される位置に応じた処理を実行する表示制御装置であって、
立体視表示可能な表示手段に立体視画像を表示させる表示制御手段と、
既に撮像された右目用画像と左目用画像とを用いる第１のモードと、２台の仮想カメラで仮想空間を撮像した右目用画像と左目用画像とを用いる第２のモードのいずれかを選択するモード選択手段と、
前記表示手段に前記立体視画像が表示されている間に、ユーザによる前記操作部に対する操作を繰り返し受け付け、当該操作によって調整された前記操作部によって示される位置に応じて前記２台の仮想カメラ間の距離が調整されるように、前記２台の仮想カメラを調整する仮想カメラ調整手段と、を備え、
前記表示制御手段は、
前記モード選択手段で前記第１のモードが選択されている場合、前記既に撮像された右目用画像と左目用画像とを用いて前記立体視画像を表示させ、前記操作部によって示される位置に応じて、前記立体視画像を表示させるか、平面画像を表示させるかを切り替え、
前記モード選択手段で前記第２のモードが選択されている場合、前記２台の仮想カメラで仮想空間を撮像することによって取得された右目用画像と左目用画像とを用いて前記立体視画像を表示させ、前記仮想カメラ調整手段によって前記２台の仮想カメラが調整された場合に、当該調整された２台の仮想カメラで前記仮想空間を撮像して取得された右目用画像と左目用画像とを用いて、前記立体視画像の表示を更新する、表示制御装置。
【請求項２】
前記表示制御手段は、前記モード選択手段で前記第１のモードが選択されている場合において、前記操作部によって示される位置が所定位置である場合にのみ、前記立体視画像を表示させる、請求項１に記載の表示制御装置。
【請求項３】
前記表示制御手段は、前記モード選択手段で前記第１のモードが選択されている場合において、前記操作部によって示される位置が所定の範囲のうちのである場合にのみ、前記立体視画像を表示させる、請求項２に記載の表示制御装置。
【請求項４】
前記表示制御手段は、前記モード選択手段で前記第１のモードが選択されており、かつ、前記操作部によって示される位置が前記所定の範囲内に位置する場合に、前記操作部によって示される位置が前記所定の範囲内のどの位置にあるかに関わらず、同じ立体感で前記立体視画像を表示させる、請求項３に記載の表示制御装置。
【請求項５】
前記表示制御手段は、前記モード選択手段で前記第１のモードが選択されており、かつ、前記操作部によって示される位置が前記所定の範囲内に位置する場合に、前記操作部によって示される位置が前記所定の範囲内のどの位置にあるかに関わらず、前記既に撮像された右目用画像と左目用画像との相対的な位置を決定して前記立体視画像を表示させる、請求項３または４に記載の表示制御装置。
【請求項６】
前記操作部は前記表示制御装置のハウジングに設けられ、ユーザの操作によって可動する機構を有する操作部である、請求項１から５の何れかに記載の表示制御装置。
【請求項７】
前記表示制御装置に固定的に設けられた左右のカメラを有する、実空間を撮像するステレオカメラを更に備え、
前記表示制御手段は、前記ステレオカメラによって撮像された右目用画像と左目用画像とを表示する場合に、前記モード選択手段で前記第１のモードを選択し、前記表示手段に立体視画像を表示させる、請求項１から６の何れかに記載の表示制御装置。
【請求項８】
ユーザの操作によって所定方向に操作可能な操作部によって示される位置に応じた処理を実行する表示制御装置のコンピュータにおいて実行される表示制御プログラムであって、
前記コンピュータを、
立体視表示可能な表示手段に立体視画像を表示させる表示制御手段と、
既に撮像された右目用画像と左目用画像とを用いる第１のモードと、２台の仮想カメラで仮想空間を撮像した右目用画像と左目用画像とを用いる第２のモードのいずれかを選択するモード選択手段と、
前記表示手段に前記立体視画像が表示されている間に、ユーザによる前記操作部に対する操作を繰り返し受け付け、当該操作によって調整された前記操作部によって示される位置に応じて前記２台の仮想カメラ間の距離が調整されるように、前記２台の仮想カメラを調整する仮想カメラ調整手段、として機能させ、
前記表示制御手段は、
前記モード選択手段で前記第１のモードが選択されている場合、前記既に撮像された右目用画像と左目用画像とを用いて前記立体視画像を表示させ、前記操作部によって示される位置に応じて、前記立体視画像を表示させるか、平面画像を表示させるかを切り替え、
前記モード選択手段で前記第２のモードが選択されている場合、前記２台の仮想カメラで仮想空間を撮像することによって取得された右目用画像と左目用画像とを用いて前記立体視画像を表示させ、前記仮想カメラ調整手段によって前記２台の仮想カメラが調整された場合に、当該調整された２台の仮想カメラで前記仮想空間を撮像して取得された右目用画像と左目用画像とを用いて、前記立体視画像の表示を更新する、表示制御プログラム。
【請求項９】
ユーザの操作によって所定方向に操作可能な操作部によって示される位置に応じた処理を実行する表示制御システムであって、
立体視表示可能な表示手段に立体視画像を表示させる表示制御手段と、
既に撮像された右目用画像と左目用画像とを用いる第１のモードと、２台の仮想カメラで仮想空間を撮像した右目用画像と左目用画像とを用いる第２のモードのいずれかを選択するモード選択手段と、
前記表示手段に前記立体視画像が表示されている間に、ユーザによる前記操作部に対する操作を繰り返し受け付け、当該操作によって調整された前記操作部によって示される位置に応じて前記２台の仮想カメラ間の距離が調整されるように、前記２台の仮想カメラを調整する仮想カメラ調整手段と、を備え、
前記表示制御手段は、
前記モード選択手段で前記第１のモードが選択されている場合、前記既に撮像された右目用画像と左目用画像とを用いて前記立体視画像を表示させ、前記操作部によって示される位置に応じて、前記立体視画像を表示させるか、平面画像を表示させるかを切り替え、
前記モード選択手段で前記第２のモードが選択されている場合、前記２台の仮想カメラで仮想空間を撮像することによって取得された右目用画像と左目用画像とを用いて前記立体視画像を表示させ、前記仮想カメラ調整手段によって前記２台の仮想カメラが調整された場合に、当該調整された２台の仮想カメラで前記仮想空間を撮像して取得された右目用画像と左目用画像とを用いて、前記立体視画像の表示を更新する、表示制御システム。
【請求項１０】
ユーザの操作によって所定方向に操作可能な操作部によって示される位置に応じた処理を実行する表示制御方法であって、
立体視表示可能な表示手段に立体視画像を表示させる表示制御ステップと、
既に撮像された右目用画像と左目用画像とを用いる第１のモードと、２台の仮想カメラで仮想空間を撮像した右目用画像と左目用画像とを用いる第２のモードのいずれかを選択するモード選択ステップと、
前記表示手段に前記立体視画像が表示されている間に、ユーザによる前記操作部に対する操作を繰り返し受け付け、当該操作によって調整された前記操作部によって示される位置に応じて前記２台の仮想カメラ間の距離が調整されるように、前記２台の仮想カメラを調整する仮想カメラ調整ステップと、を含み、
前記表示制御ステップにおいては、
前記モード選択ステップで前記第１のモードが選択されている場合、前記既に撮像された右目用画像と左目用画像とを用いて前記立体視画像を表示させ、前記操作部によって示される位置に応じて、前記立体視画像を表示させるか、平面画像を表示させるかを切り替え、
前記モード選択ステップで前記第２のモードが選択されている場合、前記２台の仮想カメラで仮想空間を撮像することによって取得された右目用画像と左目用画像とを用いて前記立体視画像を表示させ、前記仮想カメラ調整ステップにおいて前記２台の仮想カメラが調整された場合に、当該調整された２台の仮想カメラで前記仮想空間を撮像して取得された右目用画像と左目用画像とを用いて、前記立体視画像の表示を更新する、表示制御方法。
【発明の詳細な説明】
【技術分野】
【０００１】
本発明は、立体表示可能な表示装置に立体画像を表示した場合に、立体の見え方を調整することが可能な表示制御プログラム、表示制御装置、表示制御システム、及び、表示制御方法に関する。
【背景技術】
【０００２】
従来、互いに視差を有する右目用画像と左目用画像とを用いて、立体画像を表示させる立体画像表示装置が存在する。具体的には、立体画像表示装置では、ユーザの右目に右目用画像を、ユーザの左目に左目用画像を視認させることにより、立体感のある画像を画面に表示させる。このような立体画像表示装置において、表示される画像の立体感を調整する装置が存在する。例えば、特許文献１に記載の装置では、撮像された右目用画像と左目用画像との表示画面上における位置、大きさ、及び、回転を調整することにより、表示される画像の立体感を調整している。具体的には、特許文献１に記載の装置では、右目用画像と左目用画像とが重ね合わされて１つの画面に表示され、ユーザは、当該画面上に表示された２つの画像の位置や回転等を調整する。そして、ユーザは、２つの画像を調整した後、立体画像として表示させ、当該画像の立体感を確認する。
【先行技術文献】
【特許文献】
【０００３】
【特許文献１】特開２００３−２６４８５１号公報
【発明の概要】
【発明が解決しようとする課題】
【０００４】
しかしながら、特許文献１に記載の装置では、ユーザは、画面に立体表示させながら同時に右目用画像と左目用画像との位置や回転等を調整することはできない。すなわち、特許文献１に記載の装置では、ユーザは、画面に表示された平面的に重ね合わされた２つの画像の位置等を調整した後、当該２つの画像を立体表示させて画像の立体感を確認する。重ね合わされた２つの画像を調整する際には、立体表示した場合の画像の立体感を確認することができなかった。一方、画面に立体表示をさせた状態では、ユーザは、立体表示が見難い状態で調整しなければならず、また、２つの画像を個別に視認し難い。従って、画面に立体表示をさせたままでは、調整が困難であった。
【０００５】
それ故、本発明の目的は、ユーザが容易に画像の立体感を調整することが可能な表示制御装置、表示制御プログラム、及び、表示制御システムを提供することである。
【課題を解決するための手段】
【０００６】
本発明は、上記の課題を解決するために、以下の構成を採用した。
【０００７】
本発明は、互いに視差を有する右目用画像と左目用画像とを用いて、立体表示可能な第１の表示手段に立体画像を表示させる表示制御装置のコンピュータにおいて実行される表示制御プログラムである。表示制御プログラムは、上記コンピュータを調整手段、第１の表示制御手段、第２の表示制御手段として機能させる。調整手段は、上記右目用画像と上記左目用画像との相対的な位置、大きさ、及び、回転の少なくとも何れか１つを調整する。第１の表示制御手段は、上記調整手段で調整された右目用画像をユーザの右目に、上記調整手段で調整された左目用画像を該ユーザの左目に視認させるように上記第１の表示手段に表示させることにより、上記第１の表示手段に立体画像を表示させる。第２の表示制
御手段は、上記調整手段で調整された右目用画像と上記調整手段で調整された左目用画像と重ね合わせ、平面表示可能な第２の表示手段に該重ね合わせた平面画像を表示させる。
【０００８】
上記によれば、右目用画像と左目用画像とを用いて第１の表示手段に立体画像を表示させ、右目用画像と左目用画像とを重ね合わせた平面画像を第２の表示手段にすることができる。また、右目用画像と左目用画像との位置、大きさ、及び、回転を調整することができる。これにより、ユーザは、第１の表示手段に表示された立体画像を確認しながら、第２の表示手段に表示された右目用画像と左目用画像との位置、大きさ、及び、回転を調整することができる。
【０００９】
また、本発明では、上記第１の表示制御手段は、上記調整手段で調整された右目用画像と上記調整手段で調整された左目用画像とを重ね合わせた場合に、重なり合う部分である重複領域のみの上記立体画像を上記第１の表示手段に表示させてもよい。この場合において、上記第２の表示制御手段は、上記調整手段で調整された右目用画像と左目用画像との重複領域とともに、該右目用画像と左目用画像とが重なり合わない部分である非重複領域を上記第２の表示手段に表示させる。
【００１０】
上記によれば、ユーザは、第２の表示手段に表示された右目用画像及び左目用画像が重なり合う部分と重なり合わない部分とを確認しながら、第１の表示手段に表示される立体画像を調整することができる。第１の表示手段には、右目用画像及び左目用画像が重なり合う部分のみが表示されるため、第１の表示手段に表示される立体画像は違和感のない画像となる。一方、第２の表示手段には重なり合う部分と重なり合わない部分とが表示されるため、ユーザは、２つの画像に表示された撮像対象の位置関係を容易に把握することができる。また、例えば、重なり合わない部分にユーザが視認を所望する撮像対象が存在する場合でも、ユーザは、第２の表示手段に表示された画像を見ながら容易に右目用画像及び左目用画像を調整することができる。
【００１１】
また、本発明では、上記第１の表示制御手段は、上記右目用画像及び上記左目用画像の双方の大きさを変更することにより、上記立体画像をズームしてもよい。
【００１２】
上記によれば、第１の表示手段に表示される立体画像をズームすることができる。
【００１３】
また、本発明では、上記第１の表示制御手段は、上記右目用画像及び上記左目用画像の双方の位置を変更することにより、上記立体画像をスクロールしてもよい。
【００１４】
上記によれば、第１の表示手段に表示される立体画像をスクロールすることができる。
【００１５】
また、本発明では、上記第１の表示制御手段が上記立体画像をズーム及び／又はスクロールする場合において、上記第２の表示制御手段は、上記右目用画像及び上記左目用画像の双方の全体を上記第２の表示手段に表示させてもよい。
【００１６】
上記によれば、第１の表示手段に表示される立体画像をズームしたり、スクロールしたりする場合でも、第２の表示手段に右目用画像及び左目用画像の全体を表示させることができる。これにより、立体画像がズームされたり、スクロールされたりすることで立体画像の一部のみが第１の表示手段に表示される場合でも、ユーザは、第２の表示手段で右目用画像及び左目用画像の全体を確認することができる。
【００１７】
また、本発明では、上記第２の表示制御手段は、上記第１の表示制御手段によって上記立体画像がズーム又はスクロールされることによって、上記第１の表示手段に上記立体画像の一部が表示される場合、立体画像表示枠を上記第２の表示手段に表示させてもよい。
ここで、立体画像表示枠は、当該立体画像の一部に対応する上記右目用画像及び上記左目用画像の領域を示す。
【００１８】
上記によれば、ユーザは、第２の表示手段に表示された右目用画像及び左目用画像のどの領域が立体画像として第１の表示手段に表示されているかを容易に認識することができる。すなわち、第１の表示手段に表示される立体画像がズームされたり、スクロールされたりすることで、立体画像の一部のみが第１の表示手段に表示される場合、ユーザは、どの領域が立体表示されているかを認識し難い場合がある。しかしながら、第２の表示手段に立体画像表示枠を表示することで、ユーザは、右目用画像及び左目用画像の全体のうち、どの領域が立体表示されているかを容易に認識することができる。
【００１９】
また、本発明では、上記表示制御装置には、上記第２の表示手段の表示位置に対応した指示座標を検出する指示座標検出手段が接続されてもよい。この場合において、表示制御プログラムは、第１調整バー制御手段として上記コンピュータをさらに機能させる。第１調整バー制御手段は、上記第２の表示手段に第１の調整バーを表示させ、上記指示座標検出手段が検出する指示座標に応じて、該第１の調整バーのスライダを調整する。そして、上記調整手段は、上記第１調整バー制御手段によって調整された第１の調整バーのスライダの位置に応じて、上記右目用画像と上記左目用画像との相対的な位置、大きさ、及び、回転の少なくとも何れか１つを調整する。
【００２０】
上記によれば、ユーザは、指示座標検出手段を用いて画面に表示された第１の調整バーを調整することで、右目用画像と左目用画像との相対的な位置、大きさ、及び、回転を調整することができる。例えば、ユーザは、タッチパネルを用いて、右目用画像と左目用画像とを調整することができる。これにより、ユーザは、直感的な操作で立体画像の見え方を調整することができる。
【００２１】
また、本発明では、表示制御プログラムは、第２調整バー制御手段として上記コンピュータをさらに機能させてもよい。第２調整バー制御手段は、上記第２の表示手段に第２の調整バーを表示させ、上記指示座標検出手段が検出する指示座標に応じて、該第２の調整バーのスライダを調整する。上記第１の表示制御手段は、上記第２調整バー制御手段によって調整された第２の調整バーのスライダの位置に応じて、上記立体画像をズームする。
【００２２】
上記によれば、ユーザは、指示座標検出手段を用いて画面に表示された第２の調整バーを調整することで、第１の表示手段に表示される立体画像をズームすることができる。
【００２３】
また、本発明では、表示制御プログラムは、方向検出手段として上記コンピュータをさらに機能させてもよい。方向検出手段は、上記指示座標検出手段が検出する指示座標に基づいて、ユーザによって入力された方向を検出する。上記第１の表示制御手段は、上記方向検出手段によって検出された方向に基づいて、上記立体画像をスクロールさせる。
【００２４】
上記によれば、指示座標検出手段を用いてユーザによって入力された方向を検出することができる。そして、検出された方向に基づいて、立体画像をスクロールさせることができる。これにより、ユーザは、指示座標検出手段を用いて容易に立体画像をスクロールさせることができる。
【００２５】
また、本発明では、上記第２の表示制御手段は、上記右目用画像及び上記左目用画像を表示する画像表示領域を上記第２の表示手段に設定してもよい。この場合において、上記画像表示領域のアスペクト比における横幅の割合は、上記右目用画像及び上記左目用画像のアスペクト比における横幅の割合よりも大きい。
【００２６】
上記によれば、画像表示領域を右目用画像及び左目用画像よりも横長に設定することができる。これにより、例えば、右目用画像及び左目用画像の位置を画面の横方向に調整しても、右目用画像及び左目用画像の全体を画面に表示させることができ、ユーザにとって横方向の調整が容易になる。
【００２７】
また、本発明では、上記表示制御装置には、上記第２の表示手段の表示位置に対応した指示座標を検出する指示座標検出手段が接続されてもよい。表示制御プログラムは、第１調整バー制御手段として上記コンピュータをさらに機能させる。第１調整バー制御手段は、上記第２の表示手段の画面における上記画像表示領域とは異なる領域に、上記第２の表示手段の画面の横方向に移動可能なスライダを有する第１の調整バーを表示させ、上記指示座標検出手段が検出する指示座標に応じて、該スライダを調整する。上記調整手段は、上記第１調整バー制御手段によって調整されたスライダの位置に応じて、上記右目用画像及び／又は上記左目用画像を横方向にずらす。
【００２８】
上記によれば、ユーザは、第１の調整バーを用いて、右目用画像及び／又は左目用画像の位置を横方向にずらすことができる。これにより、ユーザは、直感的な操作で右目用画像及び／又は左目用画像の位置を調整することができ、立体画像の見え方を容易に調整することができる。また、上記画像表示領域は、横長の画面であるため、ユーザは、右目用画像及び／又は左目用画像を画面の横方向にずらしても、右目用画像及び左目用画像の全体を認識することができる。
【００２９】
また、本発明では、前記表示制御装置には、前記第２の表示手段の表示位置に対応した指示座標を検出する指示座標検出手段が接続されてもよい。表示制御プログラムは、第１調整バー制御手段として上記コンピュータをさらに機能させる。第１調整バー制御手段は、上記第２の表示手段の画面の横方向に移動可能なスライダを有する第１の調整バーを上記第２の表示手段に表示させ、上記指示座標検出手段が検出する指示座標に応じて、該第１の調整バーのスライダの位置を調整する。また、第１調整バー制御手段は、上記指示座標検出手段が検出する指示座標に応じて、上記第１の調整バー自体を上記スライダの可動範囲よりも小さい範囲で上記第２の表示手段の画面の縦方向に移動させる。上記調整手段は、上記第１調整バー制御手段によって上記スライダが横方向に移動された場合は、当該スライダの移動量に応じて、上記右目用画像及び／又は上記左目用画像を横方向にずらす。また、上記調整手段は、上記第１調整バー制御手段によって上記第１の調整バーが縦方向に移動された場合は、当該第１の調整バーの移動量に応じて、上記右目用画像及び／又は上記左目用画像を縦方向にずらす。
【００３０】
上記によれば、ユーザは、第１の調整バーを用いて、右目用画像及び／又は左目用画像を横方向及び縦方向にずらすことができる。また、第１の調整バーの縦方向の可動範囲は、第１の調整バーのスライダの横方向の可動範囲よりも狭く設定される。第１の調整バーのスライダの横方向への移動量に応じて、右目用画像及び／又は左目用画像は横方向にずらされる。また、第１の調整バーの縦方向への移動量に応じて、右目用画像及び／又は左目用画像は縦方向にずらされる。従って、ユーザは、直感的な操作で、右目用画像及び／又は左目用画像の横方向の位置を調整し易い。また、ユーザは、右目用画像及び／又は左目用画像の縦方向の位置を微調整することが可能である。
【００３１】
また、本発明では、上記調整手段は、上記右目用画像と上記左目用画像との相対的な位置を、横方向に第１の範囲で調整可能であり、縦方向に該第１の範囲よりも小さい第２の範囲で調整可能であってもよい。
【００３２】
上記によれば、ユーザは、右目用画像及び／又は左目用画像の位置を表示画面の横方向に調整することができ、横方向よりも狭い範囲で縦方向にも調整することができる。
【００３３】
また、本発明では、上記表示制御装置には、上記第２の表示手段の表示位置に対応した指示座標を検出する指示座標検出手段が接続されてもよい。この場合において、表示制御プログラムは、上記コンピュータを第１調整バー制御手段としてさらに機能させてもよい。第１調整バー制御手段は、上記第２の表示手段に第１の調整バーを表示させ、上記指示座標検出手段が検出する指示座標に応じて、該第１の調整バーのスライダを調整する。上記調整手段は、上記第１調整バー制御手段によって調整された第１の調整バーのスライダの位置に応じて、上記右目用画像と上記左目用画像との相対的な位置、大きさ、及び、回転の少なくとも何れか１つを調整し、該調整した量を上記立体画像毎に記憶手段に記憶する。
【００３４】
上記によれば、第１の調整バーで調整された、右目用画像と左目用画像との相対的な位置、大きさ、回転に関する調整量を記憶手段に記憶することができる。これにより、例えば、調整された画像を他の機器で読み取って表示させることにより、調整後の立体画像を当該他の機器で表示させることができる。
【００３５】
また、本発明では、前記表示制御装置は、ステレオカメラを備えてもよい。
【００３６】
上記によれば、表示制御装置に備えられたステレオカメラによって撮像された右目用画像及び左目用画像を用いて、立体画像を調整することができる。
【００３７】
また、本発明では、表示制御装置は、上記第１の表示手段及び上記第２の表示手段と一体として構成され、上記第１の表示手段と上記第２の表示手段とが折り畳み可能な携帯型表示装置であってもよい。
【００３８】
上記によれば、立体表示と平面表示が可能な、折り畳み可能な携帯型の表示装置を提供することができる。
【００３９】
また、本発明では、表示制御装置は、上記右目用画像と上記左目用画像とを記憶する記憶手段と着脱自在に接続されてもよい。
【００４０】
上記によれば、例えば、他の機器で撮像した右目用画像と左目用画像とを上記記憶手段に記憶し、上記表示制御装置に読み込むことができる。
【００４１】
また、本発明では、表示制御装置は、上記右目用画像と上記左目用画像とを送受信可能な通信手段を備えてもよい。
【００４２】
上記によれば、例えば、他の機器で撮像した右目用画像と左目用画像とを上記通信手段を用いて、上記表示制御装置に取り込むことができる。
【００４３】
また、本発明では、表示制御装置は、所定方向に位置を調整可能なスライダを備えてもよい。表示制御プログラムは、モード選択手段として上記コンピュータをさらに機能させる。モード選択手段は、既に撮像された右目用画像と左目用画像とを用いる第１のモードと、２台の仮想カメラで仮想空間を撮像した右目用画像と左目用画像とを用いる第２のモードとを選択する。第１の表示制御手段は、上記モード選択手段で上記第１のモードが選択されている場合、上記既に撮像された右目用画像と左目用画像とを用いて上記立体画像を表示させる。また、第１の表示制御手段は、上記モード選択手段で上記第２のモードが選択されている場合、上記スライダの位置に応じて、上記仮想カメラ間の距離を調整し、該距離を調整された２台の仮想カメラで上記仮想空間を撮像した右目用画像と左目用画像とを用いて上記立体画像を表示させる。
【００４４】
上記によれば、ユーザは、上記表示制御装置を第１のモードと第２のモードとで動作させることができ、これらのモードを選択することができる。第１のモードでは、既に撮像された画像を用いて立体画像を表示させることができる。第２のモードでは、仮想空間に存在する仮想ステレオカメラのカメラ間距離を、スライダを用いて調整することができる。これにより、ユーザは、仮想ステレオカメラの視差を調整することができ、立体画像の見え方を調整することができる。することができる。
【００４５】
また、本発明では、上記第１の表示制御手段は、上記モード選択手段で上記第１のモードが選択されている場合において、上記スライダの位置が所定の位置である場合のみ、上記立体画像を表示させてもよい。
【００４６】
上記によれば、第１モードが選択されている場合において、ユーザは、スライダの位置に応じて第１の表示手段に立体画像を表示させる／させないを制御することができる。
【００４７】
また、本発明は、所定方向に位置を調整可能なスライダを備える表示制御装置のコンピュータにおいて実行される表示制御プログラムである。表示制御プログラムは、上記コンピュータを仮想カメラ設定手段、表示制御手段として機能させる。仮想カメラ設定手段は、上記スライダの位置に応じて、仮想空間に存在する２台の仮想カメラ間の距離を設定する。表示制御手段は、上記仮想カメラ設定手段で設定されたカメラ間距離で上記仮想空間をリアルタイムで撮像した右目用画像と左目用画像と用いて、立体表示可能な表示手段に立体画像を表示させる。
【００４８】
上記によれば、表示制御装置に備えられたスライダの位置が調整されることで、仮想空間に存在する２台の仮想カメラ間の距離が設定される。そして、設定された仮想カメラ間距離で仮想空間が撮像され、立体表示可能な表示手段に立体画像が表示される。これにより、ユーザは、例えば、３次元のゲーム空間を撮像した立体画像の見え方を調整することができる。
【００４９】
また、本発明では、上記表示制御プログラムを実行する表示制御装置の形態で実施されてもよい。また、上記各手段を実現する複数の装置が相互に動作することによって、１つの表示制御システムとして構成されてもよい。
【発明の効果】
【００５０】
本発明によれば、ユーザは、第１の表示手段に表示された立体画像を見ながら、第２の表示手段に表示された右目用画像と左目用画像とを調整することができる。これにより、ユーザは、容易に立体画像の立体感を調整することがことができる。
【図面の簡単な説明】
【００５１】
【図１】本発明の一実施形態に係る携帯型の画像表示装置の外観図
【図２】上側ハウジング１３ａと下側ハウジング１３ｂとを折り畳んだ状態で下側ハウジング１３ｂを背面から見た図
【図３】画像表示装置１０の内部構成を示すブロック図
【図４】画像表示装置１０の機能構成を示すブロック図
【図５】立体画像表示装置１１及び平面画像表示装置１２の画面に表示される画像の一例を示した図
【図６】ユーザがスティック１６を用いて位置調整バー５４のスライダ５５を調整する様子を示した図
【図７】位置調整バー５４のスライダ５５の調整によってユーザが感じる撮像対象画像６２（５２）及び撮像対象画像６３（５３）の位置が変化する様子を示した図
【図８】左目用画像５１ａ及び右目用画像５１ｂを重ね合わせた場合において、重なり合う部分と重なり合わない部分とを説明するための図
【図９】位置調整バー５４を用いて左目用画像５１ａ及び右目用画像５１ｂの縦方向の位置を調整する様子を示した図
【図１０】ズーム調整バー５６を用いて立体画像６１を拡大する様子を示した図
【図１１】タッチ操作によって立体画像６１がスクロールする様子を示した図
【図１２】右目用画像５１ｂを回転又は拡大させることによって立体画像を調整する様子を示した図
【図１３】画像表示装置１０のメインメモリ３１のメモリマップを示す図
【図１４】第１の実施形態に係る画像表示制御処理の詳細を示すメインフローチャート
【図１５】位置調整処理（ステップＳ２）の詳細を示すフローチャート
【図１６】回転、サイズ変更処理（ステップＳ３）の詳細を示すフローチャート
【図１７】ズーム処理（ステップＳ４）の詳細を示すフローチャート
【図１８】スクロール処理（ステップＳ５）の詳細を示すフローチャート
【図１９】立体画像６１がズーム及びスクロールされることに応じて、平面画像表示装置１２に表示される左目用画像５１ａ及び右目用画像５１ｂがズーム及びスクロールされる様子を示す図
【図２０】第２の実施形態に係る画像表示装置１０のメインメモリ３１のメモリマップを示す図
【図２１】第２の実施形態に係る処理の詳細を示すメインフローチャート
【図２２】第１のモードの処理の詳細を示すフローチャート
【発明を実施するための形態】
【００５２】
（第１の実施形態）
図面を参照して、本発明の第１の実施形態に係る画像表示装置について説明する。図１は、本発明の一実施形態に係る携帯型の画像表示装置の外観図である。
【００５３】
（画像表示装置の説明）
図１において、画像表示装置１０は、立体表示可能な立体画像表示装置１１、および、２次元の平面画像を表示可能な平面画像表示装置１２を含む。ハウジング１３は上側ハウジング１３ａと下側ハウジング１３ｂとによって構成されている。立体画像表示装置１１は上側ハウジング１３ａに収納され、平面画像表示装置１２は下側ハウジング１３ｂに収納される。立体画像表示装置１１および平面画像表示装置１２は、いずれも所定の解像度（例えば、２５６ｄｏｔ×１９２ｄｏｔ）を有している。なお、本実施形態では表示装置として液晶表示装置を用いているが、例えばＥＬ（Ｅｌｅｃｔｒｏ  Ｌｕｍｉｎｅｓｃｅｎｃｅ：電界発光）を利用した表示装置など、他の任意の表示装置を利用することができる。また、任意の解像度のものを利用することができる。
【００５４】
立体画像表示装置１１は、裸眼で立体画像を表示可能な表示装置であり、レンチキュラー方式やパララックスバリア方式（視差バリア方式）のものが用いられる。本実施形態では、立体画像表示装置１１は、パララックスバリア方式のものとする。
【００５５】
平面画像表示装置１２の画面上には、指示座標検出装置であるタッチパネル１５が装着されている。タッチパネル１５としては、例えば抵抗膜方式や光学式（赤外線方式）や静電容量結合式など、任意の方式のものを利用することができる。本実施形態では、タッチパネル１５は、抵抗膜方式であるものとする。タッチパネル１５は、ユーザがスティック１６を用いて平面画像表示装置１２の画面上を接触（タッチ）することにより、平面画像表示装置１２の画面上の位置を検出する。タッチパネル１５が検出する位置は、平面画像表示装置１２の画面上の位置と対応している。なお、ユーザは、スティック１６に限らず
指で画面上の位置を指示することも可能である。本実施形態では、タッチパネル１５として、平面画像表示装置１２の解像度と同じ解像度（検出精度）のものを利用する。ただし、タッチパネル１５の解像度と平面画像表示装置１２の解像度とは、必ずしも一致している必要はない。
【００５６】
上側ハウジング１３ａには、後述するハードウェアスライダ１４が配設されている。また、下側ハウジング１３ｂの側面には、後述するステレオカメラ１８で撮像対象を撮像するためのシャッターボタン１７が設けられている。上側ハウジング１３ａと下側ハウジング１３ｂとは、ヒンジ部１９によって接続されている。上側ハウジング１３ａと下側ハウジング１３ｂとは、当該ヒンジ部１９によって開閉可能（折り畳み可能）に接続されている。
【００５７】
図２は、上側ハウジング１３ａと下側ハウジング１３ｂとを折り畳んだ状態で下側ハウジング１３ｂを背面から見た図である。図２に示すように、下側ハウジング１３ｂの背面には、ステレオカメラ１８が配設される。ステレオカメラ１８は、左目画像撮像部１８ａと右目画像撮像部１８ｂとを有する。左目画像撮像部１８ａと右目画像撮像部１８ｂとの間隔は、例えば、平均的な人間の左右の目の間隔（例えば、６５ｍｍ）に設定される。左目画像撮像部１８ａ及び右目画像撮像部１８ｂは、所定の解像度を有する撮像素子（例えば、ＣＣＤイメージセンサやＣＭＯＳイメージセンサ等）と、ズームレンズとを含む。左目画像撮像部１８ａは、左目用画像を撮像し、右目画像撮像部１８ｂは、右目用画像を撮像する。左目画像撮像部１８ａ及び右目画像撮像部１８ｂは、ユーザによってシャッターボタン１７が押されたことに応じて、それぞれ左目用画像及び右目用画像を撮像する。ユーザは、図１に示すように上側ハウジング１３ａと下側ハウジング１３ｂとを開いた状態で立体画像表示装置１１及び平面画像表示装置１２の画面を見ながら、シャッターボタン１７を押すことができる。すなわち、ステレオカメラ１８で撮像対象を撮像した場合の左目用画像及び右目用画像が平面画像表示装置１２の画面に表示され、そのときの立体画像が立体画像表示装置１１に表示される。これにより、ユーザは画面に表示された画像を確認しながら、撮像対象を撮像することができる。
【００５８】
図３は、画像表示装置１０の内部構成を示すブロック図である。図３に示すように、画像表示装置１０は、上述の他、ＣＰＵ３０と、メインメモリ３１と、ＲＯＭ３２と、メモリ制御回路３３と、保存用データメモリ３４と、通信モジュール３５とを備えている。これらは電子部品として電子回路基板上に実装されて、下側ハウジング１３ｂ（または上側ハウジング１３ａでもよい）内に収納される。
【００５９】
ＣＰＵ３０は、所定のプログラムを実行するための情報処理手段である。本実施形態では、所定のプログラムが画像表示装置１０のＲＯＭ３２に記憶されており、ＣＰＵ３０が、当該所定のプログラムを実行することによって、後述する表示制御処理を実行する。
【００６０】
ＣＰＵ３０には、メインメモリ３１、ＲＯＭ３２、およびメモリ制御回路３３が接続される。また、メモリ制御回路３３には、保存用データメモリ３４が接続される。メインメモリ３１は、読み書き可能な半導体メモリである。メインメモリ３１には、上記所定のプログラムを一時的に格納する領域、左目用画像及び右目用画像を一時的に格納する領域、ＣＰＵ３０のワーク領域やバッファ領域が設けられる。すなわち、メインメモリ３１は、後述する表示制御処理に用いられる各種データを記憶したり、ＲＯＭ３２に記憶された上記所定のプログラムを記憶したりする。ＲＯＭ３２は、不揮発性のメモリであり、上記所定のプログラムを格納する。保存用データメモリ３４は、左目画像撮像部１８ａ及び右目画像撮像部１８ｂによって撮像された画像のデータ等を記憶するための記憶手段である。保存用データメモリ３４は、不揮発性の記憶媒体によって構成されており、例えば、ＮＡＮＤ型フラッシュメモリが用いられる。メモリ制御回路３３は、ＣＰＵ３０の指示に従っ
て、保存用データメモリ３４に対するデータの読み出しおよび書き込みを制御する回路である。
【００６１】
なお、ＣＰＵ３０によって実行されるプログラムは、ＲＯＭ３２に予め記憶されていてもよいし、保存用データメモリ３４から取得されてもよいし、通信モジュール３５を用いた通信によって他の機器から取得されてもよい。
【００６２】
通信モジュール３５は、有線又は無線によって他の機器と通信するための機能を有する。通信モジュール３５は、例えば、赤外線通信により他の機器と通信するための機能を有する。なお、通信モジュール３５は、例えばＩＥＥＥ８０２．１１．ｂ／ｇの規格に準拠した方式により、無線ＬＡＮに接続する機能を有してもよし、Ｂｌｕｅｔｏｏｔｈ（ブルートゥース）（登録商標）の技術を用いて、他の機器と通信する機能を有してもよい。また、通信モジュール３５は、携帯電話等に用いられる通信方式により移動体通信網に接続する機能を有してもよい。
【００６３】
また、ＣＰＵ３０には、タッチパネル１５が接続される。タッチパネル１５は、図示しないインターフェイス回路に接続され、当該インターフェイス回路は、タッチパネル１５からの信号に基づいて、所定の形式のタッチ位置データを生成し、ＣＰＵ３０に出力する。例えば、タッチ位置データは、タッチパネル１５の入力面に対して入力が行われた位置の座標を示すデータである。なお、上記インターフェイス回路は、タッチパネル１５からの信号の読み込み、および、タッチ位置データの生成を所定時間に１回の割合で行う。ＣＰＵ３０は、上記インターフェイス回路を介して、タッチ位置データを取得することにより、タッチパネル１５に対して入力が行われた位置を知ることができる。
【００６４】
シャッターボタン１７と、撮像装置（左目画像撮像部１８ａ及び右目画像撮像部１８ｂ）とは、ＣＰＵ３０に接続される。ＣＰＵ３０は、シャッターボタン１７が押されたことに応じて、左目画像撮像部１８ａ及び右目画像撮像部１８ｂに画像を撮像する命令を送信する。左目画像撮像部１８ａ及び右目画像撮像部１８ｂは、ＣＰＵ３０からの命令に応じて画像を撮像し、撮像した画像データをＣＰＵ３０に出力する。
【００６５】
また、立体画像表示装置１１及び平面画像表示装置１２は、それぞれＣＰＵ３０に接続される。立体画像表示装置１１及び平面画像表示装置１２は、それぞれＣＰＵ３０の指示に従って画像を表示する。上述のように、立体画像表示装置１１には立体画像が表示され、平面画像表示装置１２には平面画像が表示される。
【００６６】
また、ＣＰＵ３０には、ハードウェアスライダ１４が接続される。ハードウェアスライダ１４は、スライドスイッチであり、横方向の任意の位置（又は所定の位置）に調整可能である。ハードウェアスライダ１４は、その位置に応じた信号をＣＰＵ３０に出力する。
【００６７】
次に、図４を用いて、画像表示装置１０の機能構成について説明する。図４は、画像表示装置１０の機能構成を示すブロック図である。図４に示すように、画像表示装置１０は、メモリ３１ａ及び３１ｂ、調整部４０、入力制御部４１、第１表示制御部４２、及び、第２表示制御部４３を含む。メモリ３１ａ及び３１ｂは、上述したメインメモリ３１の記憶領域の一部である。また、調整部４０、入力制御部４１、第１表示制御部４２、及び、第２表示制御部４３は、ＣＰＵ３０が上記所定のプログラムを実行することにより実現される。
【００６８】
メモリ３１ａ及び３１ｂは、それぞれ左目画像撮像部１８ａ及び右目画像撮像部１８ｂによって撮像された画像を一時的に格納する。メモリ３１ａには、左目画像撮像部１８ａによって撮像された左目用画像が格納され、メモリ３１ｂには、右目画像撮像部１８ｂに
よって撮像された左目用画像が格納される。
【００６９】
調整部４０は、入力制御部４１からの出力信号に応じて、左目用画像と右目用画像とを表示装置に表示するときの両画像の相対的な位置、相対的な大きさ、相対的な回転を調整する。左目用画像及び右目用画像の位置は、それぞれの画像中心の座標値（内部的に設定されたＸＹ座標系の座標値）として表される。ＸＹ座標系のＸ軸方向は、画面（立体画像表示装置１１及び平面画像表示装置１２の画面）の横方向に対応し、Ｙ軸方向は、画面の縦方向に対応する。左目用画像と右目用画像との相対的な位置は、各画像の画像中心の横方向（Ｘ方向）及び／又は縦方向（Ｙ方向）の座標値を変化させることにより、調整される。例えば、調整部４０は、左目用画像及び／又は右目用画像を横方向に移動させることにより、左目用画像と右目用画像との相対的な位置を調整する。また、調整部４０は、左目用画像及び／又は右目用画像の大きさを変化させることにより、左目用画像と右目用画像との相対的な大きさを調整する。例えば、調整部４０は、左目用画像を拡大させることにより、左目用画像を右目用画像よりも相対的に大きくさせる。さらに、調整部４０は、左目用画像及び／又は右目用画像をそれぞれの画像中心の周りに回転させることにより、左目用画像と右目用画像との相対的な回転（回転角度）を調整する。例えば、調整部４０は、左目用画像を所定の角度だけ回転させることにより、左目用画像と右目用画像との相対的な回転を調整する。
【００７０】
入力制御部４１は、タッチパネル１５が検出する位置に応じて、調整部４０に制御信号を出力する。すなわち、入力制御部４１は、タッチパネル１５が検出する位置に応じて、ユーザによって行われた左目用画像及び右目用画像に対する操作（後述する位置調整バー５４（図５参照）に対する操作、左目用画像又は右目用画像に対する回転操作、拡大又は縮小操作等）を検出し、制御信号として調整部４０に送信する。また、入力制御部４１は、タッチパネル１５が検出する位置に応じて、平面画像表示装置１２に表示される位置調整バー５４の位置、位置調整バー５４のスライダ５５の位置、及び、ズーム調整バー５６のスライダ５７の位置を調整する。また、入力制御部４１は、タッチパネル１５が検出する位置に応じて、立体画像表示装置１１に表示される立体画像をスクロールさせたり、ズームさせたりする（詳細は後述する）。
【００７１】
第１表示制御部４２は、立体画像表示装置１１の表示制御を行う。第１表示制御部４２は、調整部４０によって調整された左目用画像及び右目用画像を合成することにより、立体画像表示装置１１に立体画像を表示させる。例えば、調整部４０によって左目用画像と右目用画像との位置が左右方向に所定の量ずらされた場合、第１表示制御部４２は、左目用画像と右目用画像との位置を当該所定の量だけ左右方向にずらす。そして、第１表示制御部４２は、ずらした２つの画像を合成して立体画像を生成する。例えば、第１表示制御部４２は、ずらした２つの画像を画素を縦に並べた１ライン毎に短冊状に分割し、分割した短冊状の画像を交互に配置することにより、２つの画像を合成する。そして、合成した画像データを立体画像表示装置１１に出力する。立体画像表示装置１１は、表示した画像について、視差バリアを通して見ることによって、１ライン毎に交互に、右目にのみ見える表示と左目にのみ見える表示となるため、ユーザの右目に右目用画像、左目に左目用画像を視認させることができる。これにより、立体画像を立体画像表示装置１１に表示させる。また、第１表示制御部４２は、入力制御部４１からの信号に基づいて、立体画像表示装置１１に表示される立体画像をズームしたり、スクロールしたりする。
【００７２】
第２表示制御部４３は、平面画像表示装置１２の表示制御を行う。第２表示制御部４３は、調整部４０によって調整された左目用画像及び右目用画像を重ね合わせ、重ね合わせた平面画像を平面画像表示装置１２に表示させる。例えば、調整部４０によって左目用画像と右目用画像との位置が左右方向に所定の量ずらされた場合、第２表示制御部４３は、左目用画像と右目用画像との位置を当該所定の量だけ左右方向にずらす。そして、第２表
示制御部４３は、ずらした２つの画像を半透明にして重ね合わせ、平面画像表示装置１２に平面的に表示させる。従って、ユーザは、左目用画像及び右目用画像の両方を視認することができ、左目用画像及び右目用画像がどの程度ずれているかを容易に認識することができる。また、第２表示制御部４３は、入力制御部４１からの信号に基づいて、位置調整バー５４、及び、ズーム調整バー５６の表示を制御する。
【００７３】
（立体画像の調整操作）
次に、図５から図１２を参照して、立体画像の調整について説明する。図５は、立体画像表示装置１１及び平面画像表示装置１２の画面に表示される画像の一例を示した図である。なお、図５から図１２において、説明と関係しない部分については表示を省略しており、また、立体画像表示装置１１及び平面画像表示装置１２の画面を実際よりも相対的に大きく表示している。
【００７４】
図５に示すように、平面画像表示装置１２の画面には、画像表示領域５０が設けられる。画像表示領域５０には、左目用画像５１ａ及び右目用画像５１ｂが表示されている。図５に示すように、画像表示領域５０のアスペクト比（横方向の長さ（横幅）と縦方向の長さ（高さ）との比）における横幅の比率は、左目用画像５１ａ及び右目用画像５１ｂのアスペクト比における横幅の比率よりも大きい。すなわち、画像表示領域５０は、左目用画像５１ａ及び右目用画像５１ｂよりも横長の領域である。
【００７５】
左目用画像５１ａは、左目画像撮像部１８ａによって撮像された画像であり、左目用画像５１ａには、撮像対象画像５２ａ及び撮像対象画像５３ａが含まれている。撮像対象画像５２ａ及び撮像対象画像５３ａは、実空間に存在する撮像対象５２及び５３を左目画像撮像部１８ａによって撮像した画像である。また、右目用画像５１ｂは、右目画像撮像部１８ｂによって撮像された画像であり、右目用画像５１ｂには、撮像対象画像５２ｂ及び撮像対象画像５３ｂが含まれている。撮像対象画像５２ｂ及び撮像対象画像５３ｂは、実空間に存在する撮像対象５２及び５３を右目画像撮像部１８ｂによって撮像した画像である。すなわち、撮像対象画像５２ａ及び撮像対象画像５２ｂは、同じ撮像対象５２を撮像した画像である。しかし、左目用画像５１ａ及び右目用画像５１ｂには視差があるため、撮像対象画像５２ａ及び撮像対象画像５２ｂは完全に同一の画像ではない。同様に、撮像対象画像５３ａ及び撮像対象画像５３ｂは、同じ撮像対象５３を撮像した画像であるが、左目用画像５１ａ及び右目用画像５１ｂには視差があるため、撮像対象画像５３ａ及び撮像対象画像５３ｂは完全に同一の画像ではない。
【００７６】
図５に示すように、平面画像表示装置１２の画面に表示された左目用画像５１ａ及び右目用画像５１ｂは、半透明で重ね合わされて表示されている。また、平面画像表示装置１２の画面には、位置調整バー５４及びスライダ５５が表示される。また、平面画像表示装置１２の画面には、ズーム調整バー５６及びスライダ５７が表示される。
【００７７】
一方、立体画像表示装置１１の画面には、立体画像６１が表示されている。立体画像６１は、左目用画像５１ａと右目用画像５１ｂとが合成された画像であり、ユーザが立体画像６１を見たときに立体的に見える画像である。立体画像６１には、撮像対象画像６２及び撮像対象画像６３が含まれている。撮像対象画像６２は、実空間に存在する撮像対象５２を撮像した画像であり、図５に示すように、ユーザが立体的に見える画像である。撮像対象画像６２は、左目用画像５１ａの撮像対象画像５２ａと右目用画像５１ｂの撮像対象画像５２ｂとが合成された画像である。同様に、撮像対象画像６３は、実空間に存在する撮像対象５３を撮像した画像であり、図５に示すように、ユーザが立体的に見える画像である。撮像対象画像６３は、左目用画像５１ａの撮像対象画像５３ａと右目用画像５１ｂの撮像対象画像５３ｂとが合成された画像である。
【００７８】
位置調整バー５４は、ユーザが左目用画像５１ａ及び右目用画像５１ｂの位置を画面の横方向及び縦方向に調整するためのユーザインターフェイスである。ユーザは、位置調整バー５４のスライダ５５をスティック１６でタッチしたまま横方向にスライドさせることにより、左目用画像５１ａ及び右目用画像５１ｂの横方向のずれ量（相対位置）を調整することができる。また、ユーザはスティック１６を用いて位置調整バー５４の所定の位置をタッチすることにより、スライダ５５を当該タッチ位置に移動させ、左目用画像５１ａ及び右目用画像５１ｂの横方向のずれ量（相対位置）を調整することができる。詳細は後述するが、この調整によって立体画像表示装置１１に表示される立体画像の立体感が変化する。
【００７９】
なお、図５においては、説明のため左目用画像５１ａと右目用画像５１ｂとが若干上下左右方向にずれて表示されているが、実際には、左目用画像５１ａと右目用画像５１ｂとの位置は一致している（左目用画像５１ａの画像中心と左目用画像５１ａの画像中心とは一致している）。しかしながら、左目用画像５１ａに含まれる撮像対象画像５２ａと右目用画像５１ｂに含まれる撮像対象画像５２ｂとは、位置が異なる。具体的には、２つの画像の位置を一致させて半透明で重ね合わせた場合に、左目用画像５１ａに含まれる撮像対象画像５２ａは、右目用画像５１ｂに含まれる撮像対象画像５２ｂよりも右側にずれている。すなわち、左目用画像５１ａに含まれる撮像対象画像５２ａは相対的に右側に、右目用画像５１ｂに含まれる撮像対象画像５２ｂは相対的に左側に位置している。従って、立体画像表示装置１１に表示される撮像対象画像６２は、ユーザにとって立体画像表示装置１１の画面よりも手前に位置しているように見える（後述する図７参照）。また、左目用画像５１ａに含まれる撮像対象画像５３ａは、右目用画像５１ｂに含まれる撮像対象画像５３ｂよりもさらに右側にずれている。すなわち、左目用画像５１ａに含まれる撮像対象画像５３ａは右側に、右目用画像５１ｂに含まれる撮像対象画像５３ｂは左側にずれている。撮像対象画像５３ａと撮像対象画像５３ｂとのずれは、撮像対象画像５２ａと撮像対象画像５２ｂとのずれよりも大きい。従って、立体画像表示装置１１に表示される撮像対象画像６３は、ユーザにとって撮像対象画像６２よりもさらに手前に位置しているように見える（後述する図７参照）。
【００８０】
次に、図６を用いて左目用画像５１ａ及び右目用画像５１ｂの横方向の位置の調整について、説明する。図６は、ユーザがスティック１６を用いて位置調整バー５４のスライダ５５を調整する様子を示した図である。図６において、破線によって示されるスライダ５５’は、ユーザによって調整される（画面の右方向に移動される）前のものであり、実線によって示されるスライダ５５は、ユーザによって調整された後のものである。スライダ５５が位置Ｐ１から位置Ｐ２に移動されることに応じて、平面画像表示装置１２の画像表示領域５０に表示された左目用画像５１ａ及び右目用画像５１ｂはそれぞれ、画面の横方向に移動する。具体的には、左目用画像５１ａは画面の左方向に移動し、右目用画像５１ｂは画面の右方向に移動する。すなわち、位置調整バー５４のスライダ５５が横方向に移動すると、左目用画像５１ａ及び右目用画像５１ｂがスライダ５５の移動量に応じた量だけ、横方向に、互いに反対方向に移動し（ずれ）、左目用画像５１ａと右目用画像５１ｂとの間のずれ量が変化する。なお、左目用画像５１ａ及び右目用画像５１ｂの何れか一方のみが、スライダ５５の移動量に応じて移動することで、左目用画像５１ａと右目用画像５１ｂとの間のずれ量を変化させても良い。
【００８１】
なお、位置調整バー５４のスライダ５５が所定の位置（例えば可動範囲の中心）に位置する場合、左目用画像５１ａと右目用画像５１ｂとの間のずれ量はゼロとなる（左目用画像５１ａの画像中心の位置と右目用画像５１ｂの画像中心の位置とが、一致する）。例えば、スライダ５５が中心から右にスライドされるに従って左目用画像５１ａは左に、右目用画像５１ｂは右に移動するように、画像同士のずれ量が大きくなる。これにより、後述するように、立体画像表示装置１１に表示される撮像対象画像６２及び撮像対象画像６３
は画面の奥方向に移動するように見える。逆に、スライダ５５が中心から左にスライドされるに従って左目用画像５１ａは右に、右目用画像５１ｂは左に移動するように、画像同士のずれ量の絶対値が大きくなる（この場合のずれ量は負の値となる）。これにより、後述するように、立体画像表示装置１１に表示される撮像対象画像６２及び撮像対象画像６３は画面の手前方向に移動するように見える。
【００８２】
一方、立体画像表示装置１１の画面に表示される立体画像６１も、スライダ５５の移動に応じて変化する。スライダ５５が移動すると、立体画像表示装置１１の画面に表示される、ユーザの左目に視認される左目用画像５１ａと、ユーザの右目に視認される右目用画像５１ｂとの横方向の位置も変化する。すなわち、平面画像表示装置１２に表示される左目用画像５１ａ及び右目用画像５１ｂと同様に、立体画像表示装置１１に表示される左目用画像５１ａ及び右目用画像５１ｂもスライダ５５の移動量に応じた量だけ横方向に移動する。その結果、スライダ５５が移動した後（位置Ｐ２）の立体画像６１をユーザが見ると、立体画像６１に含まれる撮像対象画像６２及び撮像対象画像６３は、スライダ５５が移動する前（位置Ｐ１）よりも、画面の奥方向に位置しているように見える。すなわち、スライダ５５の移動によって、立体画像６１に含まれる撮像対象画像６２及び撮像対象画像６３が、画面の奥方向に移動したように見える。
【００８３】
図７は、位置調整バー５４のスライダ５５の調整によってユーザが感じる撮像対象画像６２（５２）及び撮像対象画像６３（５３）の位置が変化する様子を示した図である。図７は、ユーザ、立体画像表示装置１１、及び、２つの撮像対象５２及び５３（撮像対象画像６２及び６３）を上方から見た図であり、ユーザが感じるこれらの位置関係を示している。スライダ５５が移動する前においては、ユーザは、撮像対象画像６２及び撮像対象画像６３は立体画像表示装置１１の画面より手前（画面よりユーザ側）に位置していると感じる（６２’及び６３’の位置に存在しているように見える）。より具体的には、ユーザは、実空間に存在する撮像対象５２と撮像対象５３との位置関係と同様に、撮像対象画像６３’が撮像対象画像６２’よりも画面の手前方向の位置（ユーザに近い位置）に存在しているように感じる。一方、スライダ５５が移動することに応じて、ユーザは、撮像対象画像６２及び撮像対象画像６３は立体画像表示装置１１の画面の奥方向（画面に垂直な方向であってユーザの視線方向）に移動するように見える（言い換えると、立体画像表示装置１１の画面がユーザに向かって移動するように見える）。より具体的には、スライダ５５が移動した後においては、ユーザは、撮像対象画像６２が画面の奥方向に位置しており、撮像対象画像６３が画面近傍に位置していると感じる。このように、ユーザがスライダ５５を平面画像表示装置１２の画面の右方向に移動させた場合、立体画像６１に含まれる撮像対象画像６２（及び６３）は、あたかも立体画像表示装置１１の画面の奥方向に移動したように（画面の奥方向に遠ざかるように）見える。逆に、ユーザがスライダ５５を左方向に移動させた場合、立体画像６１に含まれる撮像対象画像６２（及び６３）は、あたかも画面の手前方向に移動したように（画面から飛び出したように）見える。つまり、ユーザが位置調整バー５４のスライダ５５を横方向に調整すると、ユーザにとっては立体画像６１に含まれる撮像対象の位置が変化したように見える。従って、ユーザは、位置調整バー５４のスライダ５５を横方向に移動させることによって、立体画像６１の見え方を変化させることができる。
【００８４】
また、ユーザは、位置調整バー５４のスライダ５５を横方向に移動させることによって、立体画像６１に含まれる所望の撮像対象を自身にとって見やすく表示させることができる。例えば、図７の点線に示すように、スライダ５５を移動させる前においては、ユーザが視認する撮像対象画像６３の位置は、画面の手前であり、画面から所定距離だけ離れた位置（６３’の位置）である。一方、ユーザによって視認される撮像対象画像６２の位置は、画面の手前であり、画面近傍（６２’の位置）である。この場合において、ユーザは、撮像対象画像６２を立体的に視認することは容易であるが、撮像対象画像６３を立体的
に視認することは困難である。これは、実際に画像が表示されているのは画面上であるため、画像を見ようとするときに、ユーザは、目の焦点を画面上に合わせるためである。画面近傍に視認される移動前の撮像対象画像６２’は、ユーザが認識する画面に垂直な方向の位置と目の焦点が合っている位置とが近いため、立体的に視認され易い。一方、移動前の撮像対象画像６３’は、ユーザが認識する画面に垂直な方向の位置と目の焦点が合っている位置とが異なるため、立体的に視認され難い（目の焦点が画面上に合っている場合に、移動前の撮像対象画像６３’を見ると、画像がぼやけて見えたり、立体として認識できなかったりする）。この場合において、ユーザは、スライダ５５を横方向に移動させることによって、撮像対象画像６３を画面の奥方向に移動させることができ、撮像対象画像６３を画面近傍に移動させることができる。従って、ユーザは、スライダ５５を横方向に移動させることによって、立体画像６１に含まれる所望の撮像対象（撮像対象画像６３）を自身にとって見やすく表示させることができる。
【００８５】
なお、図６に示す横方向のずれ（位置）を調整した後の立体画像６１は、図５に示す調整する前の立体画像６１の両端部分が削られたような画像となっている（図６参照）。このため、図６に示す撮像対象画像６２の一部は表示されていない。これは、左目用画像５１ａ及び右目用画像５１ｂを横方向にずらしたことによって、２つの画像が重なり合わない部分が生じたためである。左目用画像５１ａ及び右目用画像５１ｂが重なり合わない部分（非重複領域）も含めて立体画像表示装置１１の画面に立体画像を表示すると、立体画像の一部は立体感のある画像となり、他の一部は立体感のない画像となる。このときの表示は、視聴者にとっては、「見えているはずのものが見えない」または「見えないはずのものが見えている」といった状態である。このため、全体としてユーザにとって違和感のある画像となってしまう。従って、立体画像表示装置１１の画面には、左目用画像５１ａ及び右目用画像５１ｂが重なり合う部分（重複領域）のみを合成して、表示させる。
【００８６】
ここで、２つの画像の「重なり合う部分」と「重なり合わない部分」について、図８を用いて説明する。図８は、左目用画像５１ａ及び右目用画像５１ｂを重ね合わせた場合において、重なり合う部分と重なり合わない部分とを説明するための図である。図８に示すように、左目用画像５１ａには、撮像対象画像５２ａ、５３ａ、及び、５８ａが含まれる。同様に、右目用画像５１ｂには、撮像対象画像５２ｂ、５３ｂ、及び、５８ｂが含まれる。これら２つの画像を横方向にずらして重ね合わせた場合、２つの画像が重なり合う部分（重複領域）と重なり合わない部分（非重複領域）とが生じる。上記重なり合う部分は、重ね合わせた画像の破線によって囲まれる領域Ｒである。重なり合わない部分は、重ね合わせた画像の領域Ｒ以外の領域である。立体画像表示装置１１の画面には、領域Ｒのみが表示される。この場合において、ユーザが立体画像表示装置１１の画面を見た場合、ユーザは左目で撮像対象画像５８ａを視認することができ、右目で撮像対象画像５８ｂを視認することができる。その結果、ユーザは撮像対象画像５８を立体的に認識することができる。また、右目用画像５１ｂに含まれる撮像対象画像５３ｂは、領域Ｒに含まれるため、立体画像表示装置１１の画面に表示される。一方、左目用画像５１ａに含まれる撮像対象画像５３ａは、領域Ｒに含まれないため、立体画像表示装置１１の画面には表示されない。従って、ユーザが立体画像表示装置１１の画面を見た場合、ユーザは左目で撮像対象画像５３ａを視認することができず、右目で撮像対象画像５３ｂを視認することができる。これは、ユーザにとっては自然な見え方である。すなわち、実空間をユーザが見た場合においても、右目と左目には視差があるため、ある物体を見た場合に片方の目にしか見えない場合がある。例えば、ユーザが窓から外の風景を見る場合においては、窓枠によって、例えば右目には見えない部分でも左目には見える部分が存在する。しかしながら、重なり合わない部分も含めて画面に表示すると、ユーザの目（図８の例では左目）に見えない部分（図８の５３ａ）が見えてしまい、ユーザにとっては違和感のある画像となってしまう。従って、立体画像表示装置１１には上記重なり合う部分のみを表示することにより、ユーザにとって違和感のない画像を表示することができる。
【００８７】
一方、平面画像表示装置１２の画像表示領域５０には、調整前後において、左目用画像５１ａ及び右目用画像５１ｂの全体が表示される。より具体的には、左目用画像５１ａ及び右目用画像５１ｂが重なり合う部分と重なり合わない部分とが、平面画像表示装置１２の画像表示領域５０に表示される。上述のように、立体画像表示装置１１では、立体画像をユーザにとって違和感のないようにするために、２つの画像が重なり合う部分のみが表示される。一方、平面画像表示装置１２に表示される左目用画像５１ａ及び右目用画像５１ｂは、それぞれユーザの両目で視認されるため、ユーザは、２つの画像を別々の画像として認識することができる。このため、２つの画像が重なり合う部分のみならず、重なり合わない部分が表示されてもユーザにとって違和感はない。むしろ、重なり合わない部分も含めて表示されることにより、ユーザは、２つの画像をそれぞれ別の画像として認識することができ、２つの画像の位置関係を容易に認識することができる。従って、ユーザは、２つの画像に含まれる撮像対象画像の位置を容易に認識することができる。また、重なり合わない部分も含めて平面画像表示装置１２に表示されるため、ユーザは、重なり合わない部分に存在する撮像対象（当該撮像対象は立体画像表示装置１１には表示されないか、立体画像表示装置１１に表示されてもユーザの片目にのみ視認される）を視認することができる。例えば、図８に示す左目用画像５１ａに含まれる撮像対象画像５３ａは、重なり合わない部分に存在し、ユーザの左目には視認されない。このような撮像対象画像５３ａをユーザの左目で視認できるように左目用画像５１ａを移動させる場合、ユーザは、立体画像表示装置１１に表示される立体画像６１を見ながら調整することは困難である。すなわち、立体画像表示装置１１には撮像対象画像５３ａが表示されないため、その位置を認識することができないからである。しかしながら、平面画像表示装置１２には、重なり合わない部分も表示されるため、ユーザは、当該重なり合わない部分に含まれる撮像対象画像５３ａを視認しながら撮像対象画像５３ａの位置を調整することができる。このため、ユーザは、重なり合わない部分に存在する撮像対象の位置を調整することができ、所望の撮像対象を容易に立体的に表示させることができる。
【００８８】
また、ユーザは、立体画像表示装置１１に表示された立体画像６１を見ながら左目用画像５１ａ及び右目用画像５１ｂの位置を調整することができるため、ユーザは立体画像を容易に調整することができる。上述のように、ユーザが立体画像表示装置１１に表示された立体画像６１を見る場合、ユーザは図７に示す撮像対象画像６３’を立体的に視認することが困難な場合がある。ユーザが撮像対象画像６３’を立体的に視認できない場合、立体画像表示装置１１を見るだけでは、左目用画像５１ａ及び右目用画像５１ｂをどの方向に調整したらいいのか判断することが困難である（撮像対象画像６３’を画面に垂直な方向のどの位置に移動させればよいか判断ができない）。一方、平面画像表示装置１２には、左目用画像５１ａ及び右目用画像５１ｂが半透明で重ね合わされて表示されている。これにより、ユーザは、平面画像表示装置１２を見ることにより、２つの画像に含まれる撮像対象画像５３ａ及び５３ｂがどの程度離れているかを容易に認識することができる。従って、ユーザは、平面画像表示装置１２に表示された左目用画像５１ａ及び右目用画像５１ｂを見ながら、撮像対象画像５３ａと５３ｂとを近づけるように（撮像対象画像５３ａ及び５３ｂが重なり合うように）左目用画像５１ａ及び右目用画像５１ｂの位置を調整すればよい。
【００８９】
さらに、ユーザは、左目用画像５１ａ及び右目用画像５１ｂの双方の全体画像（上記重なり合う部分と重なり合わない部分とを含めた全体画像）を視認しながら、左目用画像５１ａ及び右目用画像５１ｂの位置（横方向のずれ）を調整することができる。従って、ユーザは２つの画像の位置関係を容易に認識することができるため、調整が容易である。例えば、ある撮像対象を立体的に視認するために２つの画像を調整した後、別の撮像対象を立体的に視認するために画像を調整する場合においても、ユーザは容易に画像を調整することができる。すなわち、左目用画像５１ａ及び右目用画像５１ｂの双方の全体画像が平
面画像表示装置１２に表示されるため、２つの画像の位置を調整した後においても、２つの画像の位置関係を容易に認識することができる。従って、調整が容易である。
【００９０】
以上のように、位置調整バー５４のスライダ５５を横方向に移動させることによって、立体画像表示装置１１及び平面画像表示装置１２に表示される画像が変化する。具体的には、左目用画像５１ａ及び右目用画像５１ｂの横方向の位置を調整することにより、ユーザは、立体画像に含まれる撮像対象を画面に対して垂直な方向に移動させるように表示させることができる。ユーザは、立体画像表示装置１１に表示された立体画像６１を見ながら、平面画像表示装置１２に表示された左目用画像５１ａ及び右目用画像５１ｂの位置を調整することができる。これにより、ユーザは立体画像の見え方を容易に調整することができる。
【００９１】
次に、図９を参照して左目用画像５１ａ及び右目用画像５１ｂの縦方向の位置の調整について、説明する。図９は、位置調整バー５４を用いて左目用画像５１ａ及び右目用画像５１ｂの縦方向の位置を調整する様子を示した図である。
【００９２】
図９に示すように、ユーザがスティック１６を用いて位置調整バー５４をタッチした状態で、平面画像表示装置１２の画面の上方向にスティック１６を移動させると、タッチ位置の移動に伴って位置調整バー５４も上方向に移動する。位置調整バー５４は、画面の縦方向（上下方向）に移動可能であり、位置調整バー５４の可動範囲（位置調整バー５４が移動する範囲）は、予め定められている。位置調整バー５４の縦方向の可動範囲は、位置調整バー５４のスライダ５５の横方向の可動範囲よりも小さく設定される。
【００９３】
位置調整バー５４が縦方向に移動すると、平面画像表示装置１２の画像表示領域５０に表示された左目用画像５１ａ及び／又は右目用画像５１ｂも縦方向（上下方向）に移動する。例えば、位置調整バー５４が画面の上方向に移動されると、位置調整バー５４の上方向への移動量に応じて、左目用画像５１ａ（又は右目用画像５１ｂ）も画面の上方向に移動する。なお、位置調整バー５４の縦方向の移動に応じて、画像表示領域５０に表示された左目用画像５１ａ及び右目用画像５１ｂが縦方向に互いに反対方向に移動されてもよいし、スティック１６によって選択された画像のみが縦方向に移動されてもよい。
【００９４】
一方、位置調整バー５４の縦方向の移動に伴って、立体画像表示装置１１の画面に表示される立体画像６１の見え方も変化する。例えば、左目用画像５１ａと右目用画像５１ｂとが画面の縦方向に大きくずれている場合、ユーザが立体画像６１に含まれる撮像対象画像６２を見ると、実際の撮像対象５２の形状とは異なる形状に見えたり、立体画像として見え難くなったりする場合がある。しかしながら、左目用画像５１ａと右目用画像５１ｂとの縦方向の位置のずれをユーザが調整することにより、ユーザにとって立体感のある、見易い画像を立体画像表示装置１１に表示することができる。
【００９５】
以上のように、位置調整バー５４を平面画像表示装置１２の画面の縦方向（上下方向）に移動させることによって、左目用画像５１ａ及び右目用画像５１ｂの縦方向の位置のずれを調整することができる。この縦方向の位置のずれは、左目画像撮像部１８ａ及び右目画像撮像部１８ｂの物理的な位置のずれによって生じる。例えば、製造時の誤差等により左目画像撮像部１８ａが右目画像撮像部１８ｂよりも僅かに縦方向にずれている場合（図２の上方向にずれている場合）、互いに縦方向に僅かにずれた画像が撮像される。ユーザは、このような左目用画像５１ａ及び右目用画像５１ｂの縦方向のずれを位置調整バー５４によって調整することができる。
【００９６】
通常、左目用画像５１ａ及び右目用画像５１ｂの縦方向のずれは僅かであり、ユーザは、縦方向には微調整のみ行うことが多い。一方、ユーザは立体画像に含まれる撮像対象を
画面の奥方向又は手前方向に移動させるため、スライダ５５を横方向にスライドさせることによって、左目用画像５１ａ及び右目用画像５１ｂの横方向のずれを調整する。すなわち、通常、縦方向の調整量は、横方向の調整量よりも小さい。従って、本実施形態では、位置調整バー５４の縦方向の可動範囲は、位置調整バー５４のスライダ５５の横方向の可動範囲よりも小さく設定される。このため、ユーザは、左目用画像５１ａ及び右目用画像５１ｂの横方向のずれを調整しやすく、縦方向のずれを微調整しやすい。すなわち、スライダ５５は横方向に可動範囲が大きく、位置調整バー５４は縦方向には可動範囲が小さいため、ユーザは横方向には大きく調整可能であり、縦方向には微調整のみ可能となる。また、横方向の調整ではスライダ５５を横方向にスライドさせ、縦方向の調整では、位置調整バー５４を縦方向に移動させるため、上記のような操作は、ユーザにとって直感的でわかりやすい操作であるといえる。なお、左目用画像５１ａ及び右目用画像５１ｂの縦方向の調整は、上記位置調整バー５４とは異なる調整バーのスライダによって行われてもよい。
【００９７】
次に、図１０を参照してズーム操作について説明する。図１０は、ズーム調整バー５６を用いて立体画像６１を拡大する様子を示した図である。図１０に示すように、ユーザがスティック１６を用いてズーム調整バー５６のスライダ５７をタッチした状態で、平面画像表示装置１２の画面の右方向にスティック１６を移動させると、スライダ５７は右方向に移動する。５７’は移動前のスライダ５７を示し、５７は、移動後のスライダ５７を示す。スライダ５７が移動することに伴って、立体画像表示装置１１に表示される立体画像６１は、拡大される。図１０において、立体画像６１が拡大されたため、立体画像６１に含まれる撮像対象画像６２及び６３も拡大されている。立体画像６１は、立体画像表示装置１１の画面よりも大きく拡大されたため、その一部のみが表示されている。
【００９８】
一方、平面画像表示装置１２に表示された左目用画像５１ａ及び右目用画像５１ｂは、スライダ５７が移動することに伴って拡大されない。平面画像表示装置１２の画像表示領域５０には、破線によって示される立体画像表示枠５９が表示される。立体画像表示枠５９は、立体画像表示装置１１に表示される立体画像の領域に対応する領域を示す。このように、立体画像表示装置１１に表示される立体画像が拡大されても、平面画像表示装置１２に表示される左目用画像５１ａ及び右目用画像５１ｂは拡大されず、全体が表示される。このため、立体画像が拡大された場合でも、左目用画像５１ａ及び右目用画像５１ｂの位置の調整（位置調整バー５４を用いた横方向及び縦方向の位置の調整）が容易である。すなわち、平面画像表示装置１２には、左目用画像５１ａ及び右目用画像５１ｂの全体が表示されるため、ユーザは容易にこれらの画像の位置関係を把握することができる。
【００９９】
次に、図１１を参照してスクロール操作について説明する。図１１は、タッチ操作によって立体画像６１がスクロールする様子を示した図である。図１１に示すように、ユーザが平面画像表示装置１２に表示された左目用画像５１ａ又は右目用画像５１ｂを、スティック１６を用いてタッチしたまま画面上を移動させた場合、立体画像表示装置１１の立体画像６１はスクロールされる。例えば、ユーザがスティック１６を用いて左目用画像５１ａ又は右目用画像５１ｂをタッチしたまま左方向に移動させると、立体画像６１は右方向にスクロールされる（立体画像６１に含まれる撮像対象画像６２は、左方向に移動する）。図１１の立体画像表示装置１１の画面には、立体画像６１がスクロールした後の画像が表示されている。立体画像６１は、右方向にスクロールしたため、立体画像６１に含まれる撮像対象画像６２は画面の中央より左側に移動し、撮像対象画像６３の一部は表示されていない。なお、スクロール操作によって、ユーザは、立体画像６１を画面の任意の方向にスクロールさせることができる。
【０１００】
一方、平面画像表示装置１２に表示された左目用画像５１ａ及び右目用画像５１ｂは、上記ユーザによるスクロール操作（タッチしたまま画面の右方向に移動させる操作）によ
って、スクロールしない。平面画像表示装置１２の画像表示領域５０には、上記立体画像表示枠５９が表示される。このように、立体画像表示装置１１に表示される立体画像がスクロールされても、平面画像表示装置１２に表示される左目用画像５１ａ及び右目用画像５１ｂはスクロールされない。このため、左目用画像５１ａ及び右目用画像５１ｂの位置の調整（位置調整バー５４を用いた横方向及び縦方向の位置の調整）が容易である。すなわち、平面画像表示装置１２には、左目用画像５１ａ及び右目用画像５１ｂの全体が表示されるため、ユーザは容易にこれらの画像の位置関係を把握することができる。
【０１０１】
次に、図１２を参照して左目用画像５１ａ又は右目用画像５１ｂの回転及びサイズ変更について説明する。図１２は、右目用画像５１ｂを回転又は拡大させることによって立体画像を調整する様子を示した図である。ユーザが、平面画像表示装置１２に表示された左目用画像５１ａ又は右目用画像５１ｂの所定の位置を、スティック１６を用いてタッチしたまま移動させると、左目用画像５１ａ又は右目用画像５１ｂは回転する。例えば、図１２に示すように、ユーザが右目用画像５１ｂの頂点Ｖ１をタッチしたまま、右目用画像５１ｂを回転させるように操作する（図１２の矢印Ａの方向に移動させる）と、右目用画像５１ｂは回転する。また、例えば、ユーザが右目用画像５１ｂの頂点Ｖ１をタッチしたまま、右目用画像５１ｂの対角線方向にスティック１６を移動させる（図１２の矢印Ｂの方向に移動させる）と、右目用画像５１ｂは拡大する。
【０１０２】
一方、右目用画像５１ｂの回転又は拡大に伴って、立体画像表示装置１１の画面に表示される立体画像６１の見え方も変化する。例えば、右目用画像５１ｂが左目用画像５１ａに対して所定の角度だけ回転している場合（より正確には、右目用画像５１ｂに含まれる撮像対象画像５２ｂが、左目用画像５１ａに含まれる撮像対象画像５２ａに対して所定の角度だけ回転している場合）、ユーザが立体画像６１に含まれる撮像対象画像６２を見ると、実際の撮像対象５２の形状とは異なる形状に見えたり、立体画像として見え難くなったりする場合がある。このような回転が発生する原因は、製造時の誤差等が考えられる。例えば、製造時に左目画像撮像部１８ａが所定の角度だけ回転されて配設される場合がある。このため、ユーザは、左目用画像５１ａ又は右目用画像５１ｂを回転させることにより、左目用画像５１ａと右目用画像５１ｂの相対的な回転角を調整することができる。これにより、ユーザは、ユーザにとって立体感のある、見易い画像を立体画像表示装置１１に表示させることができる。
【０１０３】
また、例えば、右目用画像５１ｂが左目用画像５１ａと比較して小さい場合（より正確には、右目用画像５１ｂに含まれる撮像対象画像５２ｂが、左目用画像５１ａに含まれる撮像対象画像５２ａより小さい場合）、ユーザが立体画像６１に含まれる撮像対象画像６２を見ると、実際の撮像対象５２の形状とは異なる形状に見えたり、立体画像として見え難くなったりする場合がある。このような大きさの違いは、撮像時における状態（例えば、左目画像撮像部１８ａ及び右目画像撮像部１８ｂのズーム機構の動作の違い）によって生じる場合がある。ユーザは、上述した操作によって左目用画像５１ａ又は右目用画像５１ｂを拡大又は縮小することにより、左目用画像５１ａと右目用画像５１ｂとの相対的な大きさを調整することができる。これにより、ユーザは、ユーザにとって立体感のある、見易い画像を立体画像表示装置１１に表示させることができる。
【０１０４】
（画像表示制御処理の詳細）
次に、図１３から図１８を参照して、本実施形態に係る画像表示制御処理の詳細について説明する。まず、画像表示制御処理の際にメインメモリ３１に記憶される主なデータについて説明する。図１３は、画像表示装置１０のメインメモリ３１のメモリマップを示す図である。図１３に示されるように、メインメモリ３１には、データ記憶領域７０が設けられる。データ記憶領域７０には、左目用画像位置データ７１、右目用画像位置データ７２、現在タッチ位置データ７３、直前タッチ位置データ７４、位置調整データ７５、ズー
ム調整データ７６、立体画像表示枠データ７７等が記憶される。これらのデータの他、メインメモリ３１には、上記画像表示制御処理を実行するプログラムや左目用画像データ、右目用画像データ、位置調整バーの画像データ、及び、ズーム調整バーの画像データ等が記憶される。
【０１０５】
左目用画像位置データ７１は、左目用画像５１ａの表示位置を示すデータであり、左目用画像５１ａの画像中心の座標値を示すデータである。右目用画像位置データ７２は、右目用画像５１ｂの表示位置を示すデータであり、右目用画像５１ｂの画像中心の座標値を示すデータである。
【０１０６】
現在タッチ位置データ７３は、現在のフレームにおいてタッチパネル１５が検出しているタッチ位置の座標値を示すデータである。現在のフレームにおいてタッチ位置が検出されていない場合、現在タッチ位置データ７３には、タッチ位置が検出されていないことを示す値が格納される。直前タッチ位置データ７４は、直前のフレームにおいてタッチパネル１５が検出した座標値を示すデータである。直前のフレームにおいてタッチ位置が検出されなかった場合、直前タッチ位置データ７４には、タッチ位置が検出されなかったことを示す値が格納される。
【０１０７】
位置調整データ７５は、位置調整バー５４に関するデータである。具体的には、位置調整データ７５は、位置調整バー５４の表示位置の座標値を示すデータ、及び、位置調整バー５４上のスライダ５５の位置を示すデータを含む。
【０１０８】
ズーム調整データ７６は、ズーム調整バー５６に関するデータであり、スライダ５７のズーム調整バー５６における位置を示すデータである。
【０１０９】
立体画像表示枠データ７７は、平面画像表示装置１２に表示される上記立体画像表示枠５９の位置及び大きさを示すデータである。
【０１１０】
次に、画像表示制御処理の詳細について図１４を参照して説明する。図１４は、第１の実施形態に係る画像表示制御処理の詳細を示すメインフローチャートである。画像表示装置１０の電源が投入されると、画像表示装置１０のＣＰＵ３０は、ＲＯＭ３２に記憶されている起動プログラムを実行し、これによってメインメモリ３１等の各ユニットが初期化される。次に、ＲＯＭ３２に記憶された画像表示制御プログラムがメインメモリ３１に読み込まれ、ＣＰＵ３０によって当該プログラムの実行が開始される。また、保存用データメモリ３４に記憶された左目用画像５１ａ及び右目用画像５１ｂが、メインメモリ３１に読み込まれる。図１４に示すフローチャートは、以上の処理が完了した後に行われる処理を示すフローチャートである。なお、図１４では、本発明に直接関連しない処理については記載を省略する。また、図１４に示すステップＳ１〜ステップＳ８の処理ループは、１フレーム（例えば１／３０秒。フレーム時間という）毎に繰り返し実行される。
【０１１１】
まず、ステップＳ１において、ＣＰＵ３０は、タッチパネル１５へのタッチを検出する。タッチパネル１５へのタッチが行われている場合、ＣＰＵ３０は、検出したタッチ位置を現在タッチ位置データ７３としてメインメモリ３１に記憶し、次にステップＳ２の処理を実行する。一方、タッチパネル１５へのタッチが行われていない場合、ＣＰＵ３０は、タッチ位置が検出されていないことを示す値を現在タッチ位置データ７３としてメインメモリ３１に記憶し、次にステップＳ６の処理を実行する。
【０１１２】
ステップＳ２において、ＣＰＵ３０は、位置調整処理を実行する。ステップＳ２においては、検出したタッチ位置に基づいて、左目用画像５１ａ及び右目用画像５１ｂの位置を調整する。ステップＳ２における位置調整処理の詳細を、図１５を参照して説明する。図
１５は、位置調整処理（ステップＳ２）の詳細を示すフローチャートである。
【０１１３】
ステップＳ１１において、ＣＰＵ３０は、現在のタッチ位置が位置調整バー５４の表示領域内か否かを判定する。具体的には、ＣＰＵ３０は、メインメモリ３１の現在タッチ位置データ７３を参照して、現在のタッチ位置（今回の処理ループのステップＳ１で検出されたタッチ位置）を取得する。次に、ＣＰＵ３０は、位置調整データ７５を参照して、取得した現在のタッチ位置が、位置調整バー５４の表示領域（位置調整バー５４が平面画像表示装置１２の画面に表示される領域）内に存在するか否かを判定する。判定結果が肯定の場合、ＣＰＵ３０は、次にステップＳ１２の処理を実行する。一方、判定結果が否定の場合、ＣＰＵ３０は、次にステップＳ１４の処理を実行する。
【０１１４】
ステップＳ１２において、ＣＰＵ３０は、現在のタッチ位置に位置調整バー５４のスライダ５５を移動させる。ステップＳ１２においては、位置調整バー５４のスライダ５５が位置調整バー５４上を横方向に移動される。具体的には、ＣＰＵ３０は、現在のタッチ位置に対応する位置調整バー５４上の位置を算出し、メインメモリ３１の位置調整データ７５に記憶する。次に、ＣＰＵ３０は、ステップＳ１３の処理を実行する。
【０１１５】
ステップＳ１３において、ＣＰＵ３０は、横方向の位置のずれ量を設定する。具体的には、ＣＰＵ３０は、ステップＳ１２で算出したスライダ５５の位置調整バー５４上の位置に基づいて、左目用画像５１ａと右目用画像５１ｂとの横方向（画面の左右（Ｘ軸）方向）のずれ量を算出し、メインメモリ３１に記憶する。ＣＰＵ３０は、スライダ５５が位置調整バー５４の左端から所定距離の位置に存在する場合、当該所定距離に応じて、上記横方向のずれ量を設定する。横方向のずれ量は、左目用画像５１ａの画像中心と右目用画像５１ｂの画像中心とのＸ軸に関する座標値のずれ（Ｘ座標値の差分）である。例えば、ＣＰＵ３０は、スライダ５５が位置調整バー５４の位置Ｐ０（例えば、位置調整バー５４の中心位置）に存在する場合の横方向のずれ量を０として、当該位置Ｐ０よりも右側にスライダ５５が存在する場合、横方向のずれ量を正とする。一方、例えば、当該位置Ｐ０よりも左側にスライダ５５が存在する場合、ＣＰＵ３０は、横方向のずれ量を負とする。なお、横方向のずれ量が正の場合、左目用画像５１ａは右目用画像５１ｂよりも画面の左側に位置する。横方向のずれ量が負の場合、左目用画像５１ａは右目用画像５１ｂよりも画面の右側に位置する。次に、ＣＰＵ３０は、位置調整処理を終了する。
【０１１６】
一方、ステップＳ１４において、ＣＰＵ３０は、直前のフレームにおけるタッチ位置が位置調整バー５４の表示領域内か否かを判定する。直前のフレームにおけるタッチ位置とは、現在の処理ループの直前の処理ループにおいて、ステップＳ１で検出されたタッチ位置である。具体的には、ＣＰＵ３０は、メインメモリ３１の直前タッチ位置データ７４を参照して、直前のタッチ位置が位置調整バー５４の表示領域内に存在するか否かを判定する。判定結果が肯定の場合、ＣＰＵ３０は、次にステップＳ１５の処理を実行する。一方、判定結果が否定の場合、ＣＰＵ３０は、位置調整処理を終了する。
【０１１７】
ステップＳ１５において、ＣＰＵ３０は、現在のタッチ位置が位置調整バー５４の可動範囲内か否かを判定する。位置調整バー５４は、予め定められた範囲で画面の縦方向（上下方向）に移動可能である。従って、ステップＳ１５においては、現在のタッチ位置がこの移動範囲内か否かが判定される。判定結果が肯定の場合、ＣＰＵ３０は、次にステップＳ１６の処理を実行する。一方、判定結果が否定の場合、ＣＰＵ３０は、位置調整処理を終了する。
【０１１８】
ステップＳ１６において、ＣＰＵ３０は、現在のタッチ位置に位置調整バー５４を移動させる。ステップＳ１６においては、位置調整バー５４が画面の縦方向（上下方向）に移動される。具体的には、ＣＰＵ３０は、現在タッチ位置データ７３が示す現在のタッチ位
置に基づいて、位置調整バー５４の画面の縦（Ｙ軸）方向への移動を示す移動ベクトルを算出する。例えば、ＣＰＵ３０は、現在のタッチ位置を通りＹ軸に平行な線分と位置調整バー５４の表示領域との交点を算出し、算出した交点から現在のタッチ位置に向かうベクトルを上記移動ベクトルとして算出する。そして、ＣＰＵ３０は、位置調整データ７５が示す位置調整バー５４の表示位置を示す位置ベクトルに、算出した移動ベクトルを加えることによって、位置調整バー５４の位置を算出する。ＣＰＵ３０は、算出した位置調整バー５４の位置を位置調整データ７５としてメインメモリ３１に記憶する。次に、ＣＰＵ３０は、ステップＳ１７の処理を実行する。
【０１１９】
ステップＳ１７において、ＣＰＵ３０は、縦方向の位置のずれ量を設定する。具体的には、ＣＰＵ３０は、ステップＳ１６で算出した位置調整バー５４の位置に基づいて、左目用画像５１ａと右目用画像５１ｂとの縦方向（画面の上下（Ｙ軸）方向）のずれ量を算出し、メインメモリ３１に記憶する。より具体的には、ＣＰＵ３０は、位置調整バー５４のＹ軸の座標値に応じて、縦方向の位置のずれ量を算出する。縦方向のずれ量は、左目用画像５１ａの画像中心と右目用画像５１ｂの画像中心とのＹ軸に関する座標値のずれ（Ｙ座標値の差分）である。例えば、ＣＰＵ３０は、位置調整バー５４が所定位置（例えば、位置調整バー５４の縦方向の可動範囲における中心）に存在する場合の縦方向のずれ量を０として、当該所定位置よりも上側に位置調整バー５４が存在する場合、縦方向のずれ量を正とする。一方、例えば、当該所定位置よりも下側に位置調整バー５４が存在する場合、ＣＰＵ３０は、縦方向のずれ量を負とする。なお、縦方向のずれ量が正の場合、左目用画像５１ａは右目用画像５１ｂよりも画面の上側に位置する。縦方向のずれ量が負の場合、左目用画像５１ａは右目用画像５１ｂよりも画面の下側に位置する。次に、ＣＰＵ３０は、位置調整処理を終了する。
【０１２０】
図１４に戻り、ステップＳ２の処理の後、ＣＰＵ３０は、次にステップＳ３の処理を実行する。
【０１２１】
ステップＳ３において、ＣＰＵ３０は、回転、サイズ変更処理を実行する。ステップＳ３では、ステップＳ１で検出したタッチ位置に基づいて、左目用画像５１ａ又は右目用画像５１ｂを回転させたり、左目用画像５１ａ又は右目用画像５１ｂのサイズを変更したりする。ステップＳ３における回転、サイズ変更処理の詳細を、図１６を用いて説明する。図１６は、回転、サイズ変更処理（ステップＳ３）の詳細を示すフローチャートである。
【０１２２】
ステップＳ２１において、ＣＰＵ３０は、直前のフレームにおけるタッチ位置が左目用画像５１ａ又は右目用画像５１ｂの頂点か否かを判定する。具体的には、ＣＰＵ３０は、直前タッチ位置データ７４を参照して、直前のタッチ位置が左目用画像５１ａ又は右目用画像５１ｂの頂点を含む所定の領域内か否かを判定する。判定結果が肯定である場合、ＣＰＵ３０は、次にステップＳ２２の処理を実行する。一方、判定結果が否定である場合、ＣＰＵ３０は、回転、サイズ変更処理を終了する。
【０１２３】
ステップＳ２２において、ＣＰＵ３０は、直前のフレームにおけるタッチ位置から現在のタッチ位置へのベクトルを算出する。具体的には、ＣＰＵ３０は、現在タッチ位置データ７３及び直前タッチ位置データ７４を参照して、直前のタッチ位置を始点とし現在のタッチ位置を終点とするベクトルを算出し、メインメモリ３１に記憶する。次に、ＣＰＵ３０は、ステップＳ２３の処理を実行する。
【０１２４】
ステップＳ２３において、ＣＰＵ３０は、直前のフレームにおけるタッチ位置と現在のタッチ位置との距離は閾値以下か否かを判定する。ステップＳ２３の処理によって、直前のタッチ位置によって選択された画像（左目用画像５１ａ又は右目用画像５１ｂ）の回転量又はサイズを変更する量が制限される。具体的には、ＣＰＵ３０は、ステップＳ２２で
算出されたベクトルの大きさが所定の閾値以下か否かを判定する。判定結果が肯定である場合、次に、ＣＰＵ３０は、ステップＳ２４の処理を実行する。一方、判定結果が否定である場合、ＣＰＵ３０は、回転、サイズ変更処理を終了する。
【０１２５】
ステップＳ２４において、ＣＰＵ３０は、算出したベクトルに応じて、右目用画像又は左目用画像を回転又はサイズ変更させる。具体的には、ＣＰＵ３０は、ステップＳ２２で算出されたベクトルの方向と大きさとに基づいて、直前のタッチ位置によって選択された画像を回転させたり、選択された画像のサイズを変更したりする。例えば、ＣＰＵ３０は、算出されたベクトルの方向が選択された画像の対角線方向である場合（所定の角度以下である場合）、当該ベクトルの大きさに応じて、選択された画像を拡大する。ここで、対角線方向とは、選択された画像の画像中心から直前のタッチ位置によって指示された頂点に向かう方向を示す。例えば、ＣＰＵ３０は、算出されたベクトルの方向が上記対角線方向と反対の方向である場合、選択された画像を縮小する。また、ＣＰＵ３０は、例えば、算出されたベクトルの方向が上記対角線方向と垂直である場合（所定の角度の範囲である場合）、当該ベクトルの大きさに応じて、選択された画像を画像中心周りに回転させる。次に、ＣＰＵ３０は、回転、サイズ変更処理を終了する。
【０１２６】
図１４に戻り、ステップＳ３の処理の後、ＣＰＵ３０は、次にステップＳ４の処理を実行する。
【０１２７】
ステップＳ４において、ＣＰＵ３０は、ズーム処理を実行する。ステップＳ４においては、ステップＳ１で検出したタッチ位置に基づいて、立体画像表示装置１１に表示する立体画像６１をズーム（拡大又は縮小）する。ステップＳ４におけるズーム処理の詳細を、図１７を用いて説明する。図１７は、ズーム処理（ステップＳ４）の詳細を示すフローチャートである。
【０１２８】
ステップＳ３１において、ＣＰＵ３０は、現在のタッチ位置がズーム調整バー５６の表示領域内か否かを判定する。具体的には、ＣＰＵ３０は、メインメモリ３１の現在タッチ位置データ７３を参照して、現在のタッチ位置が、ズーム調整バー５６の表示領域（ズーム調整バー５６が平面画像表示装置１２の画面に表示される領域）内に存在するか否かを判定する。判定結果が肯定の場合、ＣＰＵ３０は、次にステップＳ３２の処理を実行する。一方、判定結果が否定の場合、ＣＰＵ３０は、ズーム処理を終了する。
【０１２９】
ステップＳ３２において、ＣＰＵ３０は、現在のタッチ位置にズーム調整バー５６のスライダ５７を移動させる。ステップＳ３２においては、ズーム調整バー５６のスライダ５７がズーム調整バー５６上を横方向に移動される。具体的には、ＣＰＵ３０は、現在のタッチ位置に対応するズーム調整バー５６上の位置を算出し、メインメモリ３１のズーム調整データ７６に記憶する。次に、ＣＰＵ３０は、ステップＳ３３の処理を実行する。
【０１３０】
ステップＳ３３において、ＣＰＵ３０は、立体画像６１のズーム設定を行う。ステップＳ３３の処理は、後述するステップＳ６において立体画像表示装置１１に表示される立体画像６１をズームするための設定処理である。具体的には、ＣＰＵ３０は、ズーム調整バー５６のスライダ５７の位置に応じて、左目用画像５１ａ及び右目用画像５１ｂの双方を拡大又は縮小する度合いを決定し、メインメモリ３１に記憶する。次に、ＣＰＵ３０は、ステップＳ３４の処理を実行する。
【０１３１】
ステップＳ３４において、ＣＰＵ３０は、立体画像表示枠５９を設定する。具体的には、ＣＰＵ３０は、ステップＳ３３での立体画像６１のズーム設定に基づいて、立体画像表示装置１１に表示される立体画像６１の領域を算出する。すなわち、ＣＰＵ３０は、立体画像表示枠５９の位置と大きさとを算出し、立体画像表示枠データ７７としてメインメモ
リ３１に記憶する。立体画像表示枠５９は、平面画像表示装置１２の画像表示領域５０に表示される枠であり、立体画像表示装置１１に表示される立体画像６１の領域に対応する左目用画像５１ａ及び右目用画像５１ｂの領域を示す。立体画像６１がズームにより拡大された場合、立体画像表示装置１１には、左目用画像５１ａ及び右目用画像５１ｂの一部しか表示されないことがある。なお、立体画像６１がズームにより拡大された場合でも、立体画像表示装置１１に左目用画像５１ａ及び右目用画像５１ｂの全部が表示される場合は、立体画像表示枠５９は表示されない。次に、ＣＰＵ３０は、ズーム処理を終了する。
【０１３２】
図１４に戻り、ステップＳ４の処理の後、ＣＰＵ３０は、次にステップＳ５の処理を実行する。
【０１３３】
ステップＳ５において、ＣＰＵ３０は、スクロール処理を実行する。ステップＳ５においては、ステップＳ１で検出したタッチ位置に基づいて、立体画像表示装置１１に表示する立体画像６１をスクロールする。ステップＳ５におけるスクロール処理の詳細を、図１８を用いて説明する。図１８は、スクロール処理（ステップＳ５）の詳細を示すフローチャートである。
【０１３４】
ステップＳ４１において、ＣＰＵ３０は、直前のフレームにおけるタッチ位置が左目用画像５１ａ又は右目用画像５１ｂの表示領域内か否かを判定する。具体的には、ＣＰＵ３０は、直前タッチ位置データ７４を参照して、直前のタッチ位置が左目用画像５１ａ又は右目用画像５１ｂの表示領域内か否かを判定する。判定結果が肯定である場合、ＣＰＵ３０は、次にステップＳ４２の処理を実行する。一方、判定結果が否定である場合、ＣＰＵ３０は、スクロール処理を終了する。
【０１３５】
ステップＳ４２において、ＣＰＵ３０は、直前のフレームにおけるタッチ位置から現在のタッチ位置へのベクトルを算出する。具体的には、ＣＰＵ３０は、現在タッチ位置データ７３及び直前タッチ位置データ７４を参照して、直前のタッチ位置を始点とし現在のタッチ位置を終点とするベクトルを算出し、メインメモリ３１に記憶する。次に、ＣＰＵ３０は、ステップＳ４３の処理を実行する。
【０１３６】
ステップＳ４３において、ＣＰＵ３０は、直前のフレームにおけるタッチ位置と現在のタッチ位置との距離は閾値以下か否かを判定する。ステップＳ４３の処理によって、立体画像６１のスクロール量が制限される。具体的には、ＣＰＵ３０は、ステップＳ４２で算出されたベクトルの大きさが所定の閾値以下か否かを判定する。判定結果が肯定である場合、次に、ＣＰＵ３０は、ステップＳ４４の処理を実行する。一方、判定結果が否定である場合、ＣＰＵ３０は、スクロール処理を終了する。
【０１３７】
ステップＳ４４において、ＣＰＵ３０は、立体画像表示装置１１に表示される立体画像６１をスクロールさせる方向とスクロール量を設定する。具体的には、ＣＰＵ３０は、ステップＳ４２で算出されたベクトルの方向と反対方向をスクロールさせる方向として決定し、メインメモリ３１に記憶する。これにより、立体画像６１に含まれる撮像対象画像は、ユーザがスティック１６を移動させた方向に移動する。また、ＣＰＵ３０は、ステップＳ４２で算出されたベクトルの大きさに応じて、スクロール量を決定し、メインメモリ３１に記憶する。次に、ＣＰＵ３０は、ステップＳ４５の処理を実行する。
【０１３８】
ステップＳ４５において、ＣＰＵ３０は、立体画像表示枠５９を設定する。ステップＳ４５の処理は、上述したステップＳ３４の処理と同様である。具体的には、ＣＰＵ３０は、ステップＳ４４での立体画像６１のスクロール設定に基づいて、立体画像表示装置１１に表示される立体画像６１の領域を算出する。すなわち、ＣＰＵ３０は、立体画像表示枠５９の位置を算出し、立体画像表示枠データ７７としてメインメモリ３１に記憶する。次
に、ＣＰＵ３０は、スクロール処理を終了する。
【０１３９】
図１４に戻り、ステップＳ５の処理の後、ＣＰＵ３０は、次にステップＳ６の処理を実行する。
【０１４０】
ステップＳ６において、ＣＰＵ３０は、立体画像表示装置１１に立体画像６１を表示させる。ステップＳ６においては、上記ステップＳ２からＳ５で調整された左目用画像５１ａ及び右目用画像５１ｂが立体画像表示装置１１に表示されることにより、立体画像６１が表示される。具体的には、ＣＰＵ３０は、左目用画像５１ａ及び右目用画像５１ｂの位置を、ステップＳ２の処理において設定された横方向及び縦方向の位置のずれ量でずらして、合成する。また、ＣＰＵ３０は、ステップＳ３において回転又はサイズ変更された画像（左目用画像５１ａ又は右目用画像５１ｂ）を用いて、左目用画像５１ａ及び右目用画像５１ｂを合成する。より具体的には、ＣＰＵ３０は、ステップＳ２又はＳ３で調整された２つの画像を、画素を縦に並べた１ライン毎に短冊状に分割し、分割した短冊状の画像を交互に配置することにより、２つの画像を合成する。また、ＣＰＵ３０は、ステップＳ４のズーム処理で設定されたズーム設定、又は、ステップＳ５のスクロール処理で設定されたスクロール設定に基づいて、表示領域を設定する。例えば、ＣＰＵ３０は、ステップＳ４でズーム設定された場合、決定された拡大又は縮小の度合いに応じて、表示領域を設定し、当該表示領域に対応する左目用画像５１ａ及び右目用画像５１ｂの領域を拡大又は縮小（デジタルズーム）する。また、例えば、ＣＰＵ３０は、ステップＳ５でスクロール設定された場合、スクロール方向とスクロール量とに基づいて、表示領域を設定する。なお、ステップＳ２からＳ５で調整された左目用画像５１ａと右目用画像５１ｂと重ね合わせた場合に、重なり合う領域のみが、表示領域として設定される。そして、ＣＰＵ３０は、合成された画像の上記表示領域を立体画像表示装置１１に表示させることにより、立体画像を表示する。次に、ＣＰＵ３０は、ステップＳ７の処理を実行する。
【０１４１】
ステップＳ７において、ＣＰＵ３０は、平面画像表示装置１２に左目用画像５１ａ及び右目用画像５１ｂを表示させる。ステップＳ７においては、上記ステップＳ２からＳ５で調整された左目用画像５１ａ及び右目用画像５１ｂが平面画像表示装置１２に表示される。具体的には、ＣＰＵ３０は、左目用画像５１ａ及び右目用画像５１ｂの位置を、ステップＳ２の処理において設定された横方向及び縦方向の位置のずれ量でずらし、２つの画像を半透明にして重ね合わせる。そして、ＣＰＵ３０は、重ね合わせた画像を平面画像表示装置１２の画像表示領域５０に表示させる。また、ＣＰＵ３０は、ステップＳ３において回転又はサイズ変更された画像（左目用画像５１ａ又は右目用画像５１ｂ）を用いて、左目用画像５１ａ及び右目用画像５１ｂを半透明で重ね合わせる。そして、ＣＰＵ３０は、重ね合わせた画像を平面画像表示装置１２に表示させる。ここで、平面画像表示装置１２の画像表示領域５０は、立体画像表示装置１１の画面よりも小さい。従って、ＣＰＵ３０は、画像表示領域５０と立体画像表示装置１１の画面との大きさの比率に応じて、左目用画像５１ａ及び右目用画像５１ｂを縮小し、平面画像表示装置１２に表示させる。また、ＣＰＵ３０は、ステップＳ４のズーム処理（Ｓ３４）又はステップＳ５のスクロール処理（Ｓ４５）で設定された立体画像表示枠５９を平面画像表示装置１２に表示させる。上述のように、立体画像表示装置１１に表示される立体画像６１がズーム又はスクロールされても、平面画像表示装置１２に表示される画像はズーム又はスクロールされない。すなわち、ズーム又はスクロールによって立体画像６１の全体が立体画像表示装置１１に表示されない場合でも、平面画像表示装置１２には、左目用画像５１ａ及び右目用画像５１ｂの全体が表示される。これにより、ズーム又はスクロールされた場合でも、ユーザは左目用画像５１ａ及び右目用画像５１ｂの全体を確認しながら、画像を調整することができる。次に、ＣＰＵ３０は、ステップＳ８の処理を実行する。
【０１４２】
ステップＳ８において、ＣＰＵ３０は、調整終了か否かを判定する。ＣＰＵ３０は、例
えば、ユーザによって所定の操作がなされたか否か（例えば、図示しない下側ハウジング１３ｂに配設されたボタン等が押されたか否か）を判定する。判定結果が否定の場合、ＣＰＵ３０は、次にステップＳ１の処理を実行する。判定結果が肯定の場合、ＣＰＵ３０は、図１４に示す処理を終了する。以上で本実施形態に係る画像表示制御処理は終了する。
【０１４３】
なお、上述した処理の内容や処理の順番等は、単なる例示に過ぎない。すなわち、上記位置調整処理や回転、サイズ変更処理等は具体的な例示に過ぎず、左目用画像５１ａ及び右目用画像５１ｂの相対的な位置、大きさ、回転は、どのように調整されてもよい。また、上記処理の順番はどのような順番であってもよい。
【０１４４】
以上のように、左目用画像５１ａ及び右目用画像５１ｂの位置や大きさ、回転を調整することにより、ユーザは立体画像６１の見え方を調整することができる。ユーザは、立体画像表示装置１１に表示された立体画像６１を見ながら、平面画像表示装置１２の画面上で左目用画像５１ａ及び右目用画像５１ｂの位置、大きさ、回転を調整することができる。このため、ユーザは容易に立体画像６１の見え方を調整することができる。
【０１４５】
なお、他の機器で撮像された左目用画像５１ａ及び右目用画像５１ｂが保存用データメモリ３４を介して画像表示装置１０に読み込まれてもよい。また、他の機器で撮像された左目用画像５１ａ及び右目用画像５１ｂが、通信モジュール３５を介して画像表示装置１０に提供されてもよい。
【０１４６】
また、上記ステップＳ２及びＳ３で調整された左目用画像５１ａと右目用画像５１ｂとの位置、大きさ、回転の調整量を示す情報を、左目用画像５１ａ及び右目用画像５１ｂの画像データとともに保存用データメモリ３４に記憶してもよい。当該情報は、左目用画像５１ａ及び右目用画像５１ｂの画像データの一部として記憶されてもよい。そして、上記画像表示装置１０とは異なる他の装置に保存用データメモリ３４が接続され、保存用データメモリ３４に記憶された画像データと上記調整量を示す情報とを用いて、調整された立体画像が当該他の装置の画面に表示されてもよい。
【０１４７】
また、上記実施形態では、立体画像がズーム又はスクロールされた場合においても、平面画像表示装置１２に表示される平面画像（左目用画像５１ａ及び右目用画像５１ｂ）は、ズーム又はスクロールされないこととした。他の実施形態では、立体画像がズーム又はスクロールされた場合、平面画像表示装置１２に表示される平面画像もズーム又はスクロールされてもよい。すなわち、他の実施形態では、立体画像がズーム又はスクロールによって、平面画像表示装置１２に表示される左目用画像５１ａ及び右目用画像５１ｂの一部が平面画像表示装置１２に表示されてもよい（左目用画像５１ａ及び右目用画像５１ｂの全体画像が表示されなくてもよい）。
【０１４８】
具体的には、図１９に示すように、立体画像６１がズーム及びスクロールされることによって、平面画像表示装置１２に表示される左目用画像５１ａ及び右目用画像５１ｂもズーム及びスクロールされてもよい。図１９は、立体画像６１がズーム及びスクロールされることに応じて、平面画像表示装置１２に表示される左目用画像５１ａ及び右目用画像５１ｂがズーム及びスクロールされる様子を示す図である。図１９では、立体画像６１がズーム及びスクロールされたことによって、左目用画像５１ａ及び右目用画像５１ｂの一部が半透明で重ね合わされて平面画像表示装置１２に表示されている。具体的には、図１９では、左目用画像５１ａ及び右目用画像５１ｂが重なり合う部分の一部と、重なり合わない部分の一部とが、平面画像表示装置１２の画面に表示されている。また、左目用画像５１ａ及び右目用画像５１ｂが重なり合う部分の一部に対応する立体画像が、立体画像表示装置１１の画面に表示されている。図１９に示すように、平面画像表示装置１２に表示される左目用画像５１ａ及び右目用画像５１ｂは、立体画像６１の拡大比率と同じ比率で拡
大される。なお、立体画像表示装置１１の画面は平面画像表示装置１２の画像表示領域５０より大きいため、撮像対象画像６３は、撮像対象画像５３ａ及び５３ｂよりも大きく表示されている。また、平面画像表示装置１２に表示される左目用画像５１ａ及び右目用画像５１ｂは、立体画像６１がスクロールされることに応じて、スクロールされる。すなわち、平面画像表示装置１２に表示される画像は、立体画像表示装置１１に表示される画像と同じ画像である。このように、立体画像表示装置１１に表示される立体画像と同様に、平面画像表示装置１２に表示される平面画像もズーム及び／又はスクロールすることによって、ユーザにとって立体画像と平面画像との対応が分かりやすくなる。
【０１４９】
また、上記実施形態では、平面画像表示装置１２には、左目用画像５１ａ及び右目用画像５１ｂを半透明で重ね合わせた画像が表示されることとした。他の実施形態では、左目用画像５１ａ及び右目用画像５１ｂのずれ（位置、大きさ、及び、回転に関するずれ）がユーザによって認識できるような態様であれば、どのように表示されてもよい。例えば、２つの画像の輪郭をユーザが認識できるように強調表示して、２つの画像を半透明にせずに重畳表示させてもよい。すなわち、一方の画像によって他方の画像の一部が完全に隠れるように表示されてもよい。
【０１５０】
また、左目用画像５１ａ及び／又は右目用画像５１ｂは、上記操作に限らずどのような操作によって位置、大きさ、又は、回転を調整されてもよい。例えば、下側ハウジング１３ｂにボタン（十字ボタン等）が配設されてもよく、当該ボタン操作によって左目用画像５１ａ及び／又は右目用画像５１ｂの位置が調整されてもよい。具体的には、例えば、スティック１６を用いて移動させる画像が選択され、十字ボタンの右方向ボタンが押された場合は選択された画像を右方向に移動させ、左方向ボタンが押された場合は選択された画像を左方向に移動させてもよい。また、例えば、スティック１６を用いて回転する画像が選択され、十字ボタンの右方向ボタンが押された場合は選択された画像を時計回りに回転させ、左方向ボタンが押された場合は選択された画像を反時計回りに回転させてもよい。また、例えば、スティック１６を用いて拡大又は縮小する画像が選択され、十字ボタンの上方向ボタンが押された場合は選択された画像を拡大させ、下方向ボタンが押された場合は選択された画像を縮小させてもよい。
【０１５１】
また、本実施形態では裸眼で立体表示可能なディスプレイを用いる場合について説明したが、時分割方式や偏向方式、アナグリフ方式（赤青眼鏡方式）などの眼鏡を用いて立体表示を行うような場合でも、本発明は適用可能である。
【０１５２】
（第２の実施形態）
次に、第２の実施形態について、説明する。第２の実施形態では、上述した画像表示装置１０がゲーム装置としても動作する。第２の実施形態に係る画像表示装置１０の下側ハウジング１３ｂには、ユーザによって操作される複数の操作ボタン（十字ボタンやその他のボタン）が設けられる。
【０１５３】
第２の実施形態に係る画像表示装置１０は、第１のモードと、第２のモードとで動作する。第１のモードは、上記第１の実施形態のように左目画像撮像部１８ａ及び右目画像撮像部１８ｂで撮像した画像を用いて、立体画像表示装置１１に立体画像を表示するモードである。第２のモードは、仮想ステレオカメラで撮像した画像を用いて、立体画像表示装置１１にリアルタイムで立体画像を表示するモードである。第２のモードでは、仮想ステレオカメラ（左目用仮想カメラと右目用仮想カメラ）で仮想空間を撮像した画像が立体画像表示装置１１に表示される。第２のモードでは、仮想ステレオカメラが３次元の仮想空間を撮像することにより、所定の視差を有する左目用画像と右目用画像とが生成される。画像表示装置１０は、仮想空間をリアルタイムで撮像した左目用画像と右目用画像と合成することにより、立体画像表示装置１１にリアルタイムで立体画像を表示する。
【０１５４】
第２のモードにおいては、例えば、ユーザによって操作されるプレイヤキャラクタが３次元の仮想空間内を探検しながらストーリーが進行するロールプレイングゲームが想定される。当該ロールプレイングゲームでは、様々なゲームシーン（例えば、プレイヤキャラクタが洞窟内を探検するシーンや、プレイヤキャラクタが森を探検するシーン等）が予め用意されている。仮想ステレオカメラは、様々なゲームシーンに応じて、設定（ズーム設定、焦点位置の設定、左目用仮想カメラと右目用仮想カメラとの距離の設定等）が予めなされる。例えば、洞窟を探検するシーンでは、左目用仮想カメラと右目用仮想カメラとの距離は予め第１の距離に設定され、森を探検するシーンでは、左目用仮想カメラと右目用仮想カメラとの距離は第２の距離に予め設定される。
【０１５５】
２つの仮想カメラ（左目用仮想カメラ及び右目用仮想カメラ）間の距離は、３次元の仮想空間内に存在する様々な３次元オブジェクト（例えば、岩オブジェクトや木オブジェクト等）の奥行き方向の見え方に影響する。例えば、２つの仮想カメラ間の距離が比較的長い場合、３次元オブジェクトを撮像すると、当該３次元オブジェクトの奥行き方向がより長い立体画像が表示される。２つの仮想カメラ間の距離は、ゲームの各シーンに応じてゲームの設計者によって予め定められる。
【０１５６】
ここで、第２の実施形態では、２つの仮想カメラ間の距離は、画像表示装置１０のハードウェアスライダ１４（図１参照）の位置に応じて調整される。すなわち、画像表示装置１０のユーザは、自身にとってより見易い立体画像となるように、２つの仮想カメラ間の距離をハードウェアスライダ１４を用いて調整することができる。具体的には、例えば、ハードウェアスライダ１４の位置が可動範囲の中心に位置している場合、２つの仮想カメラ間の距離は、予め定められた値（デフォルト値）に設定される。また、例えば、ハードウェアスライダ１４が右端に位置している場合、２つの仮想カメラ間の距離は、上記デフォルト値の１２５％に設定される。また、例えば、ハードウェアスライダ１４が左端に位置している場合、２つの仮想カメラ間の距離は、上記デフォルト値の７５％に設定される。
【０１５７】
以上のように、第２の実施形態では、ユーザは、ハードウェアスライダ１４を用いて、２つの仮想カメラ間の距離を調整することができる。これにより、立体画像の見え方を調整することができる。
【０１５８】
なお、第１のモードでは、左目画像撮像部１８ａと右目画像撮像部１８ｂとの距離は調整できないため、ハードウェアスライダ１４は、立体画像表示装置１１に立体画像を表示するか否かを切り替えるスイッチとして利用される。第１のモードでは、例えば、ハードウェアスライダ１４の位置が右端の場合、立体画像表示装置１１に立体画像を表示させ、ハードウェアスライダ１４の位置が左端の場合、立体画像表示装置１１に立体画像を表示させない。立体画像表示装置１１に立体画像を表示させない場合、立体画像表示装置１１には、画像は表示されなくてもよいし、平面画像が表示されてもよい。
【０１５９】
次に、第２の実施形態に係る画像表示装置１０において行われる処理の詳細について説明する。まず、当該処理の際にメインメモリ３１に記憶される主なデータについて説明する。図２０は、第２の実施形態に係る画像表示装置１０のメインメモリ３１のメモリマップを示す図である。図２０に示されるように、メインメモリ３１には、データ記憶領域８０が設けられる。データ記憶領域８０には、仮想カメラデータ８１、操作データ８２、キャラクタデータ８３等が記憶される。これらのデータの他、メインメモリ３１には、上記処理を実行するプログラムやゲームに登場する各種オブジェクトの画像データ等が記憶される。
【０１６０】
仮想カメラデータ８１は、ゲーム空間に存在する仮想ステレオカメラの設定に関するデータである。仮想ステレオカメラの設定には、仮想ステレオカメラの左目用仮想カメラと右目用仮想カメラとの距離、仮想ステレオカメラのズーム設定、及び、仮想ステレオカメラの注視点の位置等が含まれる。
【０１６１】
操作データ８２は、上記複数の操作ボタン（図示せず）への入力を示すデータである。ユーザによって各操作ボタンが押された場合、各操作ボタンが押されたことを示すデータがメインメモリ３１に記憶される。
【０１６２】
キャラクタデータ８３は、ユーザによって操作される、ゲーム空間に存在するプレイヤキャラクタに関するデータであり、当該プレイヤキャラクタのゲーム空間における位置や当該プレイヤキャラクタの特性情報を含む。
【０１６３】
次に、第２の実施形態に係る処理の詳細について図２１を用いて説明する。図２１は、第２の実施形態に係る処理の詳細を示すメインフローチャートである。画像表示装置１０の電源が投入されると、画像表示装置１０のＣＰＵ３０は、ＲＯＭ３２に記憶されている起動プログラムを実行し、これによってメインメモリ３１等の各ユニットが初期化される。次に、ＲＯＭ３２に記憶されたプログラムがメインメモリ３１に読み込まれ、ＣＰＵ３０によって当該プログラムの実行が開始される。なお、当該プログラムは、保存用データメモリ３４に記憶されてもよいし、通信モジュール３５を介して画像表示装置１０に提供されてもよい。図２１に示すフローチャートは、以上の処理が完了した後に行われる処理を示すフローチャートである。なお、図２１では、本発明に直接関連しない処理については記載を省略する。また、図２１に示すステップＳ５２〜ステップＳ５６の処理ループは、１フレーム（例えば１／３０秒。フレーム時間という）毎に繰り返し実行される。
【０１６４】
まず、ステップＳ５１において、ＣＰＵ３０は、第１のモードが選択されたか否かを判定する。具体的には、ＣＰＵ３０は、平面画像表示装置１２にユーザに上記第１のモード又は上記第２のモードを選択させる画面を表示し、ユーザからの入力を検出する。ユーザによって第１のモードが選択された場合、ＣＰＵ３０は、次にステップＳ５７の処理を実行する。一方、ユーザによって第２のモードが選択された場合、ＣＰＵ３０は、次にステップＳ５２の処理を実行する。
【０１６５】
ステップＳ５２において、ＣＰＵ３０は、ハードウェアスライダ１４の位置に応じて左目用仮想カメラと右目用仮想カメラとの間の距離を設定する。具体的には、ＣＰＵ３０は、ハードウェアスライダ１４の位置を検出して、２つの仮想カメラ間の距離を算出し、仮想カメラデータ８１としてメインメモリ３１に記憶する。ＣＰＵ３０は、次にステップＳ５３の処理を実行する。
【０１６６】
ステップＳ５３において、ＣＰＵ３０は、操作データを取得する。具体的には、ＣＰＵ３０は、メインメモリ３１を参照して、複数の操作ボタンに関する操作データを取得する。ＣＰＵ３０は、次にステップＳ５４の処理を実行する。
【０１６７】
ステップＳ５４において、ＣＰＵ３０は、ゲーム処理を実行する。具体的には、ＣＰＵ３０は、ステップＳ５３で取得した操作データに基づいて、プレイヤキャラクタのゲーム空間における位置を更新したり、プレイヤキャラクタに所定の動作を実行させたりする。また、ＣＰＵ３０は、ゲーム空間に存在するプレイヤキャラクタ以外のオブジェクトに所定の動作を実行させたりする。また、ＣＰＵ３０は、仮想ステレオカメラの注視点の位置を更新したり、ズーム設定を更新したりする。ＣＰＵ３０は、次にステップＳ５５の処理を実行する。
【０１６８】
ステップＳ５５において、ＣＰＵ３０は、立体画像表示装置１１に立体画像を表示させる。具体的には、ＣＰＵ３０は、仮想ステレオカメラでゲーム空間を撮像し、左目用画像と右目用画像とを取得する。そして、ＣＰＵ３０は、左目用画像と右目用画像とを合成して立体画像データを生成し、立体画像表示装置１１に立体画像を表示させる。ＣＰＵ３０は、次にステップＳ５６の処理を実行する。
【０１６９】
ステップＳ５６において、ＣＰＵ３０は、ゲーム終了か否かを判定する。例えば、ＣＰＵ３０は、ユーザによってゲーム終了を指示するボタン（複数の操作ボタンのうちの１つのボタン）が押されたか否かを判定する。判定結果が否定の場合、ＣＰＵ３０は、再びステップＳ５２の処理を実行する。判定結果が肯定の場合、ＣＰＵ３０は、図２１に示す処理を終了する。
【０１７０】
ステップＳ５７において、ＣＰＵ３０は、第１のモードの処理を実行する。ステップＳ５７の処理は、第１の実施形態における処理（図１４のステップＳ１〜Ｓ８）と同様の処理であるが、図１４におけるステップＳ５とステップＳ６との間において、図２２に示すようにステップＳ５８の判定処理が行われる。図２２は、第１のモードの処理の詳細を示すフローチャートである。ステップＳ５８において、ＣＰＵ３０は、ハードウェアスライダ１４の位置が所定の位置（例えば、右端）か否かを判定する。判定結果が肯定の場合、ＣＰＵ３０は、次にステップＳ６の処理を実行する。判定結果が否定の場合、ＣＰＵ３０は、次にステップＳ７の処理を実行する。
【０１７１】
以上のように、第２の実施形態では、画像表示装置１０は、既に撮像された左目用画像と右目用画像とを用いて立体画像を表示する第１のモードと、仮想空間に存在する仮想ステレオカメラによって撮像された左目用画像と右目用画像とを用いて立体画像を表示する第２のモードとで、動作する。
【０１７２】
第１のモードでは、左目用画像及び右目用画像は、ステレオカメラ１８（左目画像撮像部１８ａ及び右目画像撮像部１８ｂ）で撮像された画像であってもよいし、他のステレオカメラによって撮像された画像であってもよい。第１のモードでは、既に撮像された画像を用いるため、左目画像撮像部１８ａと右目画像撮像部１８ｂとの距離によって生じる視差を変更することはできない。従って、第１のモードでは、ハードウェアスライダ１４は、立体画像を表示させる／させないの切り替えを行うスイッチとして機能する。これにより、ユーザは、ハードウェアスライダ１４を用いて立体表示のＯＮ／ＯＦＦを切り替えることができる。
【０１７３】
一方、第２のモードでは、左目用画像及び右目用画像は、仮想ステレオカメラ（左目用仮想カメラ及び右目用仮想カメラ）によって撮像された画像であるため、左目用仮想カメラと右目用仮想カメラとの距離を任意に変更することができる。第２のモードでは、ハードウェアスライダ１４を用いて、仮想カメラ間の距離（左目用仮想カメラと右目用仮想カメラとの距離）を変更する。従って、ユーザは、立体画像の見え方を調整することができる。また、ハードウェアスライダ１４の位置に応じて仮想カメラ間の距離をデフォルト値から変更することができるため、ユーザはゲームのシーンに応じてハードウェアスライダ１４を調整する必要がない。すなわち、各ゲームシーンで設定された仮想カメラ間の距離のデフォルト値は、設計者によって定められた値であり、そのような仮想カメラの設定で撮像された立体画像は、全てのユーザにとって違和感のない立体画像であるとは限らない。例えば、あるユーザにとっては、各ゲームシーンにおいて、デフォルト値の８０％に仮想カメラ間の距離が設定された方が、より立体画像として見易い場合がある。従って、ハードウェアスライダ１４の位置に応じて、仮想カメラ間の距離のデフォルト値に対する割合を設定することにより、各ゲームシーンにおいてハードウェアスライダ１４の位置を調整する必要はない。
【０１７４】
なお、第２のモードにおいて、ハードウェアスライダ１４の位置に応じて、左目用画像及び右目用画像の横方向のずれが設定されてもよい。すなわち、仮想カメラ間の距離を調整する替わりに、ハードウェアスライダ１４の位置に応じて左目用画像及び右目用画像の横方向のずれを調整してもよい。
【０１７５】
また、第２のモードにおいても、第１の実施形態のように位置調整バー５４を用いて左目用画像と右目用画像とのずれ（横方向のずれ）が調整されてもよい。これによって、ユーザは、ゲーム空間に存在する所定のオブジェクトを立体画像表示装置１１の画面に対して垂直な方向に移動させることができる。
【０１７６】
また、上記第１及び第２の実施形態では、立体画像表示装置１１及び平面画像表示装置１２の双方を備える携帯型の画像表示装置１０を想定した。他の実施形態では、これらの装置は別々の装置として構成され、それらが接続されてもよい。例えば、立体表示可能な第１の表示装置と、平面表示のみを行う第２の表示装置と、上述した処理を行う制御装置とが、別々のハードウェアとして構成されてもよい。そして、これらの装置が、有線又は無線によって互いに接続されることによって、画像表示制御システムとして機能してもよい。
【０１７７】
また、他の実施形態では、立体表示を行う立体表示領域と平面表示を行う平面表示領域とが同時に設定可能な表示装置が、上記立体画像表示装置１１及び平面画像表示装置１２として、用いられてもよい。すなわち、このような表示装置の立体表示領域が立体画像表示手段、平面表示領域が平面画像表示手段として、用いられてもよい。
【０１７８】
また、他の実施形態では、表示装置とタッチパネルとを有する任意の情報処理装置（例えば、ＰＤＡ（Ｐｅｒｓｏｎａｌ  Ｄｉｇｉｔａｌ  Ａｓｓｉｓｔａｎｔ）、携帯電話等）や、マウス等のポインティングデバイスを備えたパーソナルコンピュータにも上記調整方法が適用されてもよい。
【０１７９】
また、上記実施形態では、タッチパネルによる操作によって立体画像の調整（左目用画像と右目用画像の位置の調整）、立体画像のズームやスクロール等が行われた。他の実施形態では、マウス等のポインティングデバイスを操作することによって、立体画像の調整等が行われてもよい。例えば、画面に表示された位置調整バーのスライダが、マウス操作によって調整されてもよい。
【０１８０】
また、上記実施形態においては、画像表示装置１０のＣＰＵ３０が所定のプログラムを実行することによって、上述したフローチャートによる処理が行われた。他の実施形態においては、上記処理の一部又は全部は、画像表示装置１０が備える専用回路によって行われてもよい。例えば、立体画像表示装置１１に表示する画像を生成する専用のＧＰＵ（Ｇｒａｐｈｉｃｓ  Ｐｒｏｃｅｓｓｉｎｇ  Ｕｎｉｔ）等が設けられてもよい。
【符号の説明】
【０１８１】
１０  画像表示装置
１１  立体画像表示装置
１２  平面画像表示装置
１３  ハウジング
１３ａ  上側ハウジング
１３ｂ  下側ハウジング
１４  ハードウェアスライダ
１５  タッチパネル
１６  スティック
１７  シャッターボタン
１８  ステレオカメラ
１８ａ  左目画像撮像部
１８ｂ  右目画像撮像部
３０  ＣＰＵ
３１  メインメモリ
３２  ＲＯＭ
３３  メモリ制御回路
３４  保存用データメモリ
３５  通信モジュール
４０  調整部
４１  入力制御部
４２  第１表示制御部
４３  第２表示制御部
５０画像表示領域
５１ａ  左目用画像
５１ｂ  右目用画像
５４  位置調整バー
５５  スライダ
５６  ズーム調整バー
５７  スライダ
５９  立体画像表示枠
【図１】
0005439460.tif 000002
【図２】
0005439460.tif 000003
【図３】
0005439460.tif 000004
【図４】
0005439460.tif 000005
【図５】
0005439460.tif 000006
【図６】
0005439460.tif 000007
【図７】
0005439460.tif 000008
【図８】
0005439460.tif 000009
【図９】
0005439460.tif 000010
【図１０】
0005439460.tif 000011
【図１１】
0005439460.tif 000012
【図１２】
0005439460.tif 000013
【図１３】
0005439460.tif 000014
【図１４】
0005439460.tif 000015
【図１５】
0005439460.tif 000016
【図１６】
0005439460.tif 000017
【図１７】
0005439460.tif 000018
【図１８】
0005439460.tif 000019
【図１９】
0005439460.tif 000020
【図２０】
0005439460.tif 000021
【図２１】
0005439460.tif 000022
【図２２】
0005439460.tif 000023